(57)【特許請求の範囲】
【請求項１】
記録可能な記録媒体としての種類を示す第１種類情報が記録されている当該記録媒体に記録情報を記録する情報記録装置において、
前記第１種類情報に対して所定の対応関係を有する対応情報を当該第１種類情報が記録されている前記記録媒体に記録する対応情報記録手段と、
前記記録情報を当該記録媒体に記録する記録手段と、を備え、
前記記録手段は、前記記録情報を複数の単位記録情報に分けて記録し、
前記対応情報記録手段は、前記記録情報全体を管理する全体管理情報内と各前記単位記録情報内との双方に前記対応情報を記録することを特徴とする情報記録装置。
【請求項２】
請求項１に記載の情報記録装置において、
前記第１種類情報は、当該記録媒体を製造する段階で記録される情報であることを特徴とする情報記録装置。
【請求項３】
請求項１又は２に記載の情報記録装置において、
前記単位記録情報が、前記記録媒体のデータ領域における、物理的記録フォーマットの情報単位と、物理フォーマットに準拠した構成単位と、からなり、
前記対応情報記録手段は、各前記情報単位と各前記構成単位との双方に、前記対応情報を記録することを特徴とする情報記録装置。
【請求項４】
請求項１から３のいずれか一項に記載の情報記録装置において、
前記第１種類情報は前記記録媒体のリードインエリアに記録されていると共に、前記対応情報は前記記録情報が記録されるデータ領域に記録されることを特徴とする情報記録装置。
【請求項５】
請求項１から４のいずれか一項に記載の情報記録装置により前記対応情報及び前記記録情報が記録された前記記録媒体から当該記録情報を再生する情報再生装置において、
前記第１種類情報を検出する第１検出手段と、
前記対応情報を検出する第２検出手段と、
前記検出された第１種類情報と、前記検出された対応情報と、の関係が前記対応関係であるときのみ、前記記録情報を再生する再生手段と、
を備えることを特徴とする情報再生装置。
【請求項６】
請求項５に記載の情報再生装置において、
前記再生手段は、前記検出された第１種類情報と、前記検出された対応情報と、の関係が前記対応関係でないとき、当該情報再生装置内に装填されている記録媒体を当該情報再生装置外に排出することを特徴とする情報再生装置。
【請求項７】
記録可能な記録媒体としての種類を示す第１種類情報が記録されている第１種類情報記録領域と、
前記第１種類情報に対して所定の対応関係を有する対応情報が記録される対応情報記録領域と、当該記録媒体に記録すべき記録情報が記録される記録領域と、を備え、
前記記録情報は複数の単位記録情報により構成されていると共に、
前記対応情報記録領域は、前記記録情報全体を管理するための全体管理情報が記録される全体管理情報記録領域内及び各前記単位記録情報が記録される単位記録情報記録領域内の双方に形成されていることを特徴とする記録媒体。
【請求項８】
請求項７に記載の記録媒体において、
前記第１種類情報記録領域は、当該記録媒体を製造する段階で形成されることを特徴とする記録媒体。
【請求項９】
請求項７又は８に記載の記録媒体において、
前記単位記録情報記録領域が、物理的記録フォーマットの前記記録領域における情報単位の領域と、物理フォーマットに準拠した構成単位の領域と、からなり、
前記対応情報記録領域は、各前記情報単位の領域と各前記構成単位の領域との双方に、形成されていることを特徴とする記録媒体。
【請求項１０】
請求項７から９のいずれか一項に記載の記録媒体において、
前記第１種類情報記録領域はリードインエリアであり、
前記対応情報記録領域は前記記録領域内であることを特徴とする記録媒体。
【請求項１１】
記録可能な記録媒体としての種類を示す第１種類情報が記録されている当該記録媒体に記録情報を記録する情報記録方法において、
前記第１種類情報に対して所定の対応関係を有する対応情報を当該第１種類情報が記録されている前記記録媒体に記録する対応情報記録工程と、
前記記録情報を当該記録媒体に記録する記録工程と、を備え、
前記記録工程においては、前記記録情報を複数の単位記録情報に分けて記録し、
前記対応情報記録工程においては、前記記録情報全体を管理する全体管理情報内と各前記単位記録情報内との双方に前記対応情報を記録することを特徴とする情報記録方法。
【請求項１２】
請求項１１に記載の情報記録方法において、
前記第１種類情報は、当該記録媒体を製造する段階で記録される情報であることを特徴とする情報記録方法。
【請求項１３】
請求項１１又は１２に記載の情報記録方法において、
前記単位記録情報が、前記記録媒体のデータ領域における、物理的記録フォーマットの情報単位と、物理フォーマットに準拠した構成単位と、からなり、
前記対応情報記録工程においては、各前記情報単位と各前記構成単位との双方に、前記対応情報を記録することを特徴とする情報記録方法。
【請求項１４】
請求項１１から１３のいずれか一項に記載の情報記録方法において、
前記第１種類情報は前記記録媒体のリードインエリアに記録されていると共に、前記対応情報は前記記録情報が記録されるデータ領域に記録されることを特徴とする情報記録方法。
【請求項１５】
請求項１１から１４のいずれか一項に記載の情報記録方法により前記対応情報及び前記記録情報が記録された前記記録媒体から当該記録情報を再生する情報再生方法において、
前記第１種類情報を検出する第１検出工程と、
前記対応情報を検出する第２検出工程と、
前記検出された第１種類情報と、前記検出された対応情報と、の関係が前記対応関係であるときのみ、前記記録情報を再生する再生工程と、
を備えることを特徴とする情報再生方法。
【請求項１６】
請求項１５に記載の情報再生方法において、
前記再生工程においては、前記検出された第１種類情報と、前記検出された対応情報と、の関係が前記対応関係でないとき、当該装填されている記録媒体を外部に排出することを特徴とする情報再生方法。
【請求項１７】
記録可能な記録媒体としての種類を示す第１種類情報が記録されている当該記録媒体に記録情報を記録する情報記録装置を制御するコンピュータを、
前記第１種類情報に対して所定の対応関係を有する対応情報を当該第１種類情報が記録されている前記記録媒体に記録する対応情報記録手段、及び、
前記記録情報を当該記録媒体に記録する記録手段、として機能させるとともに、
前記記録手段は、前記記録情報を複数の単位記録情報に分けて記録し、
前記対応情報記録手段は、前記記録情報全体を管理する全体管理情報内と各前記単位記録情報内との双方に前記対応情報を記録するように機能させることを特徴とする記録制御プログラムが前記コンピュータにより読取可能に記録された情報記録媒体。
【請求項１８】
請求項１７に記載の情報記録媒体において、
前記単位記録情報が、前記記録媒体のデータ領域における、物理的記録フォーマットの情報単位と、物理フォーマットに準拠した構成単位と、から構成されているとともに、
前記対応情報記録手段として機能する前記コンピュータを、各前記情報単位と各前記構成単位との双方に、前記対応情報を記録するように機能させることを特徴とする前記記録制御プログラムが前記コンピュータにより読取可能に記録された情報記録媒体。
【請求項１９】
請求項１７又は１８に記載の情報記録装置により前記対応情報及び前記記録情報が記録された前記記録媒体から当該記録情報を再生する情報再生装置を制御するコンピュータを、
前記第１種類情報を検出する第１検出手段、
前記対応情報を検出する第２検出手段、及び、
前記検出された第１種類情報と、前記検出された対応情報と、の関係が前記対応関係であるときのみ、前記記録情報を再生する再生手段、
として機能させることを特徴とする再生制御プログラムが前記コンピュータにより読取可能に記録された情報記録媒体。
【請求項２０】
請求項１９に記載の情報記録媒体において、
前記再生手段として機能する前記コンピュータを、前記検出された第１種類情報と、前記検出された対応情報と、の関係が前記対応関係でないとき、当該情報再生装置内に装填されている記録媒体を当該情報再生装置外に排出するように機能させることを特徴とする前記再生制御プログラムが前記コンピュータにより読取可能に記録された情報記録媒体。
【請求項２１】
記録可能な記録媒体としての種類を示す第１種類情報が記録されている当該記録媒体に記録情報を記録する情報記録装置を制御するコンピュータを、
前記第１種類情報に対して所定の対応関係を有する対応情報を当該第１種類情報が記録されている前記記録媒体に記録する対応情報記録手段、及び、
前記記録情報を当該記録媒体に記録する記録手段、として機能させるとともに、
前記記録手段は、前記記録情報を複数の単位記録情報に分けて記録し、
前記対応情報記録手段は、前記記録情報全体を管理する全体管理情報内と前記各単位記録情報内との双方に前記対応情報を記録するように機能させることを特徴とする記録制御プログラム。
として機能させることを特徴とする記録制御プログラム。
【請求項２２】
請求項２１に記載の記録制御プログラムにおいて、
前記単位記録情報が、前記記録媒体のデータ領域における、物理的記録フォーマットの情報単位と、物理フォーマットに準拠した構成単位と、から構成されているとともに、
前記対応情報記録手段として機能する前記コンピュータを、各前記情報単位と各前記構成単位との双方に、前記対応情報を記録するように機能させることを特徴とする記録制御プログラム。
【請求項２３】
請求項２１又は２２に記載の情報記録装置により前記対応情報及び前記記録情報が記録された前記記録媒体から当該記録情報を再生する情報再生装置を制御するコンピュータを、
前記第１種類情報を検出する第１検出手段、
前記対応情報を検出する第２検出手段、及び、
前記検出された第１種類情報と、前記検出された対応情報と、の関係が前記対応関係であるときのみ、前記記録情報を再生する再生手段、
として機能させることを特徴とする再生制御プログラム。
【請求項２４】
請求項２３に記載の再生制御プログラムにおいて、
前記再生手段として機能する前記コンピュータを、前記検出された第１種類情報と、前記検出された対応情報と、の関係が前記対応関係でないとき、当該情報再生装置内に装填されている記録媒体を当該情報再生装置外に排出するように機能させることを特徴とする再生制御プログラム。
【発明の詳細な説明】
【０００１】
【発明の属する技術分野】
本発明は、情報記録装置、情報再生装置、情報記録方法、情報再生方法、記録媒体、記録制御プログラムが記録された情報記録媒体及び再生制御プログラムが記録された情報記録媒体の技術分野に属し、より詳細には、著作権法上の保護を為すべき記録情報を記録するため情報記録装置、情報記録方法及び記録制御プログラムが記録された情報記録媒体、当該記録情報を記録するための記録媒体、当該記録された記録情報を著作権法上の保護を為しつつ再生する情報再生装置、情報再生方法及び再生制御プログラムが記録された情報記録媒体の技術分野に属する。
【０００２】
【従来の技術】
近年、光ディスク等の記録媒体を高記録密度化するための研究・開発が盛んに行われているが、この結果、最近では、劇場用の映画一本を記録することが可能ないわゆるＤＶＤ（再生専用のＤＶＤ）が一般化しつつある。
【０００３】
一方、上記した再生専用のＤＶＤの研究・開発に後続して、記録可能な高記録密度の光ディスクであるＤＶＤ−Ｒ（DVD-Recordable）、ＤＶＤ−ＲＷ（DVD-Re-Recordable）又はＤＶＤ−ＲＡＭ（DVD-Rewritable）に関する研究・開発も行われており、これら記録可能ＤＶＤの規格化及び対応する情報記録装置の市場投入が進んでいる。
【０００４】
このとき、上記した再生専用のＤＶＤに記録されている映画等の記録情報は、通常はいわゆる著作権法上の保護を受けているのであり、具体的には、当該再生専用のＤＶＤから無許可でそれに記録されている記録情報を複写することは、一部の例外を除いて原則として禁止されている。
【０００５】
そして、この著作権法上の保護を与えるために、従来では様々な違法複写防止機能又は違法複写された記録情報が再生されることを禁止する機能（以下、単に違法複写防止機能と称する。）が開発されている。
【０００６】
【発明が解決しようとする課題】
しかしながら、パーソナルコンピュータ（以下、パソコンと称する。）及びインターネットが普及しつつある近年では、従来の違法複写防止機能を違法に解除するための違法ソフトウエアが開発され、これが当該インターネットを介して一般に拡布される場合がある。そして、この違法ソフトウエアを用いれば、個人用のパソコンにより再生専用のＤＶＤに記録されていた記録情報が上述した各種の記録可能なＤＶＤに違法に複写されてしまい、更にこの記録情報が違法に複写された記録可能なＤＶＤが、正規の情報記録装置を用いて更に大量に複製されてしまう場合があり、この場合には上記著作権法上の保護が無に帰することとなるという問題点があった。
【０００７】
一方、上記した違法な複写を防止しなければならない反面、個人がその所有するビデオカメラ等により記録した私的な記録情報を編集する目的で上記情報記録装置を用いて記録可能なＤＶＤにその私的な記録情報を記録する場合があるが、この私的な記録処理自体は違法ではないので、これが禁止されることがあってはならない。
【０００８】
そこで、本発明は、上記の問題点等に鑑みて為されたもので、その課題は、上述したような私的な記録情報が記録されている記録媒体と、先に述べたパソコン等により違法に記録情報が複写された記録媒体と、を峻別し、当該違法な複写が行われた記録媒体に記録されている当該記録情報が再生されることを防止することで著作権法上の保護を実効有らしめることが可能な情報記録装置、情報記録方法及び記録制御プログラムが記録された情報記録媒体、当該記録媒体、当該記録された記録情報を再生する情報再生装置、情報再生方法及び再生制御プログラムが記録された情報記録媒体を提供することにある。
【０００９】
【課題を解決するための手段】
上記の課題を解決するために、請求項１に記載の発明は、記録可能な記録媒体としての種類を示す第１種類情報が記録されている当該記録媒体に記録情報を記録する情報記録装置において、前記第１種類情報に対して所定の対応関係を有する対応情報を当該第１種類情報が記録されている前記記録媒体に記録するシステムコントローラ等の対応情報記録手段と、前記記録情報を当該記録媒体に記録するピックアップ等の記録手段と、を備え、前記記録手段は、前記記録情報を複数の単位記録情報に分けて記録し、前記対応情報記録手段は、前記記録情報全体を管理する全体管理情報内と各前記単位記録情報内との双方に前記対応情報を記録する。
【００１０】
よって、予め記録されている第１種類情報に対して予め設定された対応関係を有する対応情報を当該第１種類情報が記録されている記録媒体に記録すると共に記録情報を当該記録媒体に記録するので、当該記録情報の再生時において第１種類情報と対応情報とが当該対応関係にあるときのみその再生を実行することで、第１種類情報と異なる対応情報が記録される不法な記録処理又は対応情報が記録されない不法な記録処理により記録された記録情報の再生を禁止することができる。また、全体管理情報内及び単位記録情報内の双方に対応情報が記録されるので、いずれか一方の情報内の対応情報が改竄されても、他方の対応情報を用いることで確実に上記不法な記録処理により記録された記録情報の再生を禁止することができる。
【００１１】
上記の課題を解決するために、請求項２に記載の発明は、請求項１に記載の情報記録装置において、前記第１種類情報は、当該記録媒体を製造する段階で記録される情報であるように構成される。
【００１３】
上記の課題を解決するために、請求項３に記載の発明は、請求項１又は２に記載の情報記録装置において、前記単位記録情報が、前記記録媒体のデータ領域における、物理的記録フォーマットの情報単位と、物理フォーマットに準拠した構成単位と、からなり、前記対応情報記録手段は、各前記情報単位と各前記構成単位との双方に、前記対応情報を記録するように構成される。
【００１５】
上記の課題を解決するために、請求項４に記載の発明は、請求項１から３のいずれか一項に記載の情報記録装置において、前記第１種類情報は前記記録媒体のリードインエリアに記録されていると共に、前記対応情報は前記記録情報が記録されるデータ領域に記録されるように構成される。
上記の課題を解決するために、請求項５に記載の発明は、請求項１から４のいずれか一項に記載の情報記録装置により前記対応情報及び前記記録情報が記録された前記記録媒体から当該記録情報を再生する情報再生装置において、前記第１種類情報を検出するピックアップ等の第１検出手段と、前記対応情報を検出するピックアップ等の第２検出手段と、前記検出された第１種類情報と、前記検出された対応情報と、の関係が前記対応関係であるときのみ、前記記録情報を再生する再生手段と、を備える。
【００１６】
よって、検出された第１種類情報と検出された対応情報との関係が上記対応関係であるときのみ記録情報を再生するので、第１種類情報と異なる対応情報が記録される不法な記録処理又は対応情報が記録されない不法な記録処理により記録された記録情報の再生を禁止することができる。
【００１７】
上記の課題を解決するために、請求項６に記載の発明は、請求項５に記載の情報再生装置において、前記再生手段は、前記検出された第１種類情報と、前記検出された対応情報と、の関係が前記対応関係でないとき、当該情報再生装置内に装填されている記録媒体を当該情報再生装置外に排出するように構成される。
【００１８】
よって、検出された第１種類情報と検出された対応情報との関係が上記対応関係でないとき、当該情報再生装置内に装填されている記録媒体を当該情報再生装置外に排出するので、より確実に上記不法な記録処理により記録された記録情報の再生を禁止することができる。
【００１９】
上記の課題を解決するために、請求項７に記載の発明は、記録可能な記録媒体としての種類を示す第１種類情報が記録されている第１種類情報記録領域と、前記第１種類情報に対して所定の対応関係を有する対応情報が記録される対応情報記録領域と、当該記録媒体に記録すべき記録情報が記録される記録領域と、を備え、前記記録情報は複数の単位記録情報により構成されていると共に、前記対応情報記録領域は、前記記録情報全体を管理するための全体管理情報が記録される全体管理情報記録領域内及び各前記単位記録情報が記録される単位記録情報記録領域内の双方に形成されている記録媒体である。
【００２０】
よって、第１種類情報が予め記録されている第１種類情報記録領域と対応情報が記録される対応情報記録領域とを備えるので、記録情報の当該記録媒体への記録時において当該対応関係にある対応情報を対応情報記録領域内に記録すると共に当該記録情報の再生時において第１種類情報と対応情報とが当該対応関係にあるときのみその再生を実行することで、第１種類情報と異なる対応情報が記録される不法な記録処理又は対応情報が記録されない不法な記録処理により記録された記録情報の再生を禁止することができる。また、全体管理情報記録領域内及び単位記録情報記録領域内の双方にある対応情報記録領域内に共に対応情報が記録されることで、いずれか一方の情報内の対応情報が改竄されても、他方の対応情報を用いることで確実に上記不法な記録処理により記録された記録情報の再生を禁止することができる。
【００２１】
上記の課題を解決するために、請求項８に記載の発明は、請求項７に記載の記録媒体において、前記第１種類情報記録領域は、当該記録媒体を製造する段階で形成される。
【００２３】
上記の課題を解決するために、請求項９に記載の発明は、請求項７又は８に記載の記録媒体において、前記単位記録情報記録領域が、物理的記録フォーマットの前記記録領域における情報単位の領域と、物理フォーマットに準拠した構成単位の領域と、からなり、前記対応情報記録領域は、各前記情報単位の領域と各前記構成単位の領域との双方に、形成されている。
【００２５】
上記の課題を解決するために、請求項１０に記載の発明は、請求項７から９のいずれか一項に記載の記録媒体において、前記第１種類情報記録領域はリードインエリアであり、前記対応情報記録領域は前記記録領域内であるように構成される。
上記の課題を解決するために、請求項１１に記載の発明は、記録可能な記録媒体としての種類を示す第１種類情報が記録されている当該記録媒体に記録情報を記録する情報記録方法において、前記第１種類情報に対して所定の対応関係を有する対応情報を当該第１種類情報が記録されている前記記録媒体に記録する対応情報記録工程と、前記記録情報を当該記録媒体に記録する記録工程と、を備え、前記記録工程においては、前記記録情報を複数の単位記録情報に分けて記録し、前記対応情報記録工程においては、前記記録情報全体を管理する全体管理情報内と各前記単位記録情報内との双方に前記対応情報を記録する。
【００２６】
よって、予め記録されている第１種類情報に対して予め設定された対応関係を有する対応情報を当該第１種類情報が記録されている記録媒体に記録すると共に記録情報を当該記録媒体に記録するので、当該記録情報の再生時において第１種類情報と対応情報とが当該対応関係にあるときのみその再生を実行することで、第１種類情報と異なる対応情報が記録される不法な記録処理又は対応情報が記録されない不法な記録処理により記録された記録情報の再生を禁止することができる。また、全体管理情報内及び単位記録情報内の双方に対応情報が記録されるので、いずれか一方の情報内の対応情報が改竄されても、他方の対応情報を用いることで確実に上記不法な記録処理により記録された記録情報の再生を禁止することができる。
【００２７】
上記の課題を解決するために、請求項１２に記載の発明は、請求項１１に記載の情報記録方法において、前記第１種類情報は、当該記録媒体を製造する段階で記録される情報であるように構成される。
上記の課題を解決するために、請求項１３に記載の発明は、請求項１１又は１２に記載の情報記録方法において、前記単位記録情報が、前記記録媒体のデータ領域における、物理的記録フォーマットの情報単位と、物理フォーマットに準拠した構成単位と、からなり、前記対応情報記録工程においては、各前記情報単位と各前記構成単位との双方に、前記対応情報を記録するように構成される。
【００２９】
上記の課題を解決するために、請求項１４に記載の発明は、請求項１１から１３のいずれか一項に記載の情報記録方法において、前記第１種類情報は前記記録媒体のリードインエリアに記録されていると共に、前記対応情報は前記記録情報が記録されるデータ領域に記録されるように構成される。
上記の課題を解決するために、請求項１５に記載の発明は、請求項１１から１４のいずれか一項に記載の情報記録方法により前記対応情報及び前記記録情報が記録された前記記録媒体から当該記録情報を再生する情報再生方法において、前記第１種類情報を検出する第１検出工程と、前記対応情報を検出する第２検出工程と、前記検出された第１種類情報と、前記検出された対応情報と、の関係が前記対応関係であるときのみ、前記記録情報を再生する再生工程と、を備える。
【００３０】
よって、検出された第１種類情報と検出された対応情報との関係が上記対応関係であるときのみ記録情報を再生するので、第１種類情報と異なる対応情報が記録される不法な記録処理又は対応情報が記録されない不法な記録処理により記録された記録情報の再生を禁止することができる。
【００３１】
上記の課題を解決するために、請求項１６に記載の発明は、請求項１５に記載の情報再生方法において、前記再生工程においては、前記検出された第１種類情報と、前記検出された対応情報と、の関係が前記対応関係でないとき、当該装填されている記録媒体を外部に排出するように構成される。
【００３２】
よって、検出された第１種類情報と検出された対応情報との関係が上記対応関係でないとき、当該装填されている記録媒体を外部に排出するので、より確実に上記不法な記録処理により記録された記録情報の再生を禁止することができる。
【００３３】
上記の課題を解決するために、請求項１７に記載の発明は、記録可能な記録媒体としての種類を示す第１種類情報が記録されている当該記録媒体に記録情報を記録する情報記録装置を制御するコンピュータを、前記第１種類情報に対して所定の対応関係を有する対応情報を当該第１種類情報が記録されている前記記録媒体に記録する対応情報記録手段、及び、前記記録情報を当該記録媒体に記録する記録手段、として機能させるとともに、前記記録手段は、前記記録情報を複数の単位記録情報に分けて記録し、前記対応情報記録手段は、前記記録情報全体を管理する全体管理情報内と各前記単位記録情報内との双方に前記対応情報を記録するように機能させる記録制御プログラムが前記コンピュータにより読取可能に記録された情報記録媒体である。
【００３４】
よって、予め記録されている第１種類情報に対して予め設定された対応関係を有する対応情報を当該第１種類情報が記録されている記録媒体に記録すると共に記録情報を当該記録媒体に記録するように記録コンピュータを機能させるので、当該記録情報の再生時において第１種類情報と対応情報とが当該対応関係にあるときのみその再生を実行することで、第１種類情報と異なる対応情報が記録される不法な記録処理又は対応情報が記録されない不法な記録処理により記録された記録情報の再生を禁止することができる。また、全体管理情報内及び単位記録情報内の双方に対応情報が記録されるように記録コンピュータを機能させるので、いずれか一方の情報内の対応情報が改竄されても、他方の対応情報を用いることで確実に上記不法な記録処理により記録された記録情報の再生を禁止することができる。
【００３５】
上記の課題を解決するために、請求項１８に記載の発明は、請求項１７に記載の情報記録媒体において、前記単位記録情報が、前記記録媒体のデータ領域における、物理的記録フォーマットの情報単位と、物理フォーマットに準拠した構成単位と、から構成されているとともに、前記対応情報記録手段として機能する前記コンピュータを、各前記情報単位と各前記構成単位との双方に、前記対応情報を記録するように機能させる前記記録制御プログラムが前記コンピュータにより読取可能に記録されている。
【００３７】
上記の課題を解決するために、請求項１９に記載の発明は、請求項１７又は１８に記載の情報記録装置により前記対応情報及び前記記録情報が記録された前記記録媒体から当該記録情報を再生する情報再生装置を制御するコンピュータを、前記第１種類情報を検出する第１検出手段、前記対応情報を検出する第２検出手段、及び、前記検出された第１種類情報と、前記検出された対応情報と、の関係が前記対応関係であるときのみ、前記記録情報を再生する再生手段、として機能させるための再生制御プログラムが前記コンピュータにより読取可能に記録されている情報記録媒体である。
【００３８】
よって、検出された第１種類情報と検出された対応情報との関係が上記対応関係であるときのみ記録情報を再生するように再生コンピュータを機能させるので、第１種類情報と異なる対応情報が記録される不法な記録処理又は対応情報が記録されない不法な記録処理により記録された記録情報の再生を禁止することができる。
【００３９】
上記の課題を解決するために、請求項２０に記載の発明は、請求項１９に記載の情報記録媒体において、前記再生手段として機能する前記コンピュータを、前記検出された第１種類情報と、前記検出された対応情報と、の関係が前記対応関係でないとき、当該情報再生装置内に装填されている記録媒体を当該情報再生装置外に排出するように機能させるための前記再生制御プログラムが前記コンピュータにより読取可能に記録されている。
【００４０】
よって、検出された第１種類情報と検出された対応情報との関係が上記対応関係でないとき、当該情報再生装置内に装填されている記録媒体を当該情報再生装置外に排出するように再生コンピュータを機能させるので、より確実に上記不法な記録処理により記録された記録情報の再生を禁止することができる。
【００４１】
上記の課題を解決するために、請求項２１に記載の発明は、記録可能な記録媒体としての種類を示す第１種類情報が記録されている当該記録媒体に記録情報を記録する情報記録装置を制御するコンピュータを、前記第１種類情報に対して所定の対応関係を有する対応情報を当該第１種類情報が記録されている前記記録媒体に記録する対応情報記録手段、及び、前記記録情報を当該記録媒体に記録する記録手段、として機能させるとともに、前記記録手段は、前記記録情報を複数の単位記録情報に分けて記録し、前記対応情報記録手段は、前記記録情報全体を管理する全体管理情報内と前記各単位記録情報内との双方に前記対応情報を記録するように機能させる記録制御プログラムである。
【００４２】
よって、予め記録されている第１種類情報に対して予め設定された対応関係を有する対応情報を当該第１種類情報が記録されている記録媒体に記録すると共に記録情報を当該記録媒体に記録するように記録コンピュータを機能させるので、当該記録情報の再生時において第１種類情報と対応情報とが当該対応関係にあるときのみその再生を実行することで、第１種類情報と異なる対応情報が記録される不法な記録処理又は対応情報が記録されない不法な記録処理により記録された記録情報の再生を禁止することができる。また、全体管理情報内及び単位記録情報内の双方に対応情報が記録されるように記録コンピュータを機能させるので、いずれか一方の情報内の対応情報が改竄されても、他方の対応情報を用いることで確実に上記不法な記録処理により記録された記録情報の再生を禁止することができる。
【００４３】
上記の課題を解決するために、請求項２２に記載の発明は、請求項２１に記載の記録制御プログラムにおいて、前記単位記録情報が、前記記録媒体のデータ領域における、物理的記録フォーマットの情報単位と、物理フォーマットに準拠した構成単位と、から構成されているとともに、前記対応情報記録手段として機能する前記コンピュータを、各前記情報単位と各前記構成単位との双方に、前記対応情報を記録するように機能させる。
【００４５】
上記の課題を解決するために、請求項２３に記載の発明は、請求項２１又は２２に記載の情報記録装置により前記対応情報及び前記記録情報が記録された前記記録媒体から当該記録情報を再生する情報再生装置を制御するコンピュータを、前記第１種類情報を検出する第１検出手段、前記対応情報を検出する第２検出手段、及び、前記検出された第１種類情報と、前記検出された対応情報と、の関係が前記対応関係であるときのみ、前記記録情報を再生する再生手段、として機能させる再生制御プログラムである。
【００４６】
よって、検出された第１種類情報と検出された対応情報との関係が上記対応関係であるときのみ記録情報を再生するように再生コンピュータを機能させるので、第１種類情報と異なる対応情報が記録される不法な記録処理又は対応情報が記録されない不法な記録処理により記録された記録情報の再生を禁止することができる。
【００４７】
上記の課題を解決するために、請求項２４に記載の発明は、請求項２３に記載の再生制御プログラムにおいて、前記再生手段として機能する前記コンピュータを、前記検出された第１種類情報と、前記検出された対応情報と、の関係が前記対応関係でないとき、当該情報再生装置内に装填されている記録媒体を当該情報再生装置外に排出するように機能させる。
【００４８】
よって、検出された第１種類情報と検出された対応情報との関係が上記対応関係でないとき、当該情報再生装置内に装填されている記録媒体を当該情報再生装置外に排出するように再生コンピュータを機能させるので、より確実に上記不法な記録処理により記録された記録情報の再生を禁止することができる。
【００４９】
【発明の実施の形態】
次に、本発明に好適な実施の形態について、図面に基づいて説明する。
【００５０】
なお、以下に説明する実施の形態は、一回のみ記録情報の記録が可能であり、その書き換えが不可能とされているＤＶＤであるＤＶＤ−Ｒに対して外部から入力される記録情報を記録すると共に、当該ＤＶＤ−Ｒに記録された記録情報の他に、再生専用のＤＶＤ並びに記録可能な他のＤＶＤであるＤＶＤ−ＲＷに記録された記録情報の再生も可能とされている情報記録再生装置に対して本発明を適用した場合の実施の形態である。
【００５１】
（Ｉ）ＤＶＤ−Ｒの実施形態
次に、実施形態の情報記録再生装置により記録情報が記録／再生される記録媒体としてのＤＶＤ−Ｒについて、図１を用いて説明する。
【００５２】
なお、図１は実施形態に係るＤＶＤ−Ｒの平面外観図及び記録情報の記録が完了した後の物理的記録フォーマットを示す図である。
【００５３】
実施形態に係るＤＶＤ−Ｒは、例えば色素膜を記録膜とする一回のみ記録が可能な光ディスクであり、その平面外観上は、実施形態に係る情報記録再生装置においてＤＶＤ−Ｒを回転させるためのスピンドルモータに当該ＤＶＤ−Ｒを固定するためのセンターホールＣＨをその中央に有し、その内側から、内周側において記録情報の記録ができない非記録領域１１０と、記録情報の記録が可能な記録可能領域ＰＡと、外周側において記録情報の記録ができない終端領域ＥＡと、を有している。
【００５４】
更に、記録完了後の記録可能領域ＰＡは、記録情報の記録に用いられる光ビームの強度を設定するためのテスト情報が記録されるビーム強度テスト領域１１１と、当該設定された光ビーム強度のデータや記録の過程において後述する管理データが記録される管理データ領域１１２と、記録された記録情報の再生を開始する際に読み出される開始情報等が記録情報の記録過程において記録されるリードインエリアＬＩＡと、記録情報におけるファイル構造を示す情報であるファイルシステム情報が記録されるファイルシステム情報領域ＦＳと、実際に記録情報が記録されるデータ領域ＤＡと、記録された記録情報の再生を終了する際に読み出される終了情報等が記録情報の記録過程において記録されるリードアウトエリアＬＯＡと、により構成されている。
【００５５】
なお、記録可能領域ＰＡを構成する上記各領域のうちのリードインエリアＬＩＡは、ＤＶＤ−Ｒ１Ｒの製造時において後述する各情報が予めその一部に記録されているものであり、従って再生すべき記録情報が何ら記録されていないいわゆるブランク状態で販売されるＤＶＤ−Ｒ１Ｒにおいても既にその一部が形成されているものである。
【００５６】
次に、リードインエリアＬＩＡは、リードインエリアＬＩＡが開始されることを示すゼロデータが記録されているイニシャルゾーン１１３と、ＤＶＤ−Ｒ１Ｒに記録されている記録情報を再生するに当たって参照される管理情報等が記録されている参照コードゾーン１１４と、当該参照コードゾーン１１４と後述するコントロールデータゾーン１１６との間の緩衝領域として機能する第１バッファゾーン１１５と、ｎ個のブロック１１６-1乃至１１６-nに分割されており、上記記録情報の記録を開始するに当たって参照されるべき管理情報等が記録されている上記コントロールデータゾーン１１６と、コントロールデータゾーン１１６と上記ファイルシステム情報領域ＦＳとの間の緩衝領域として機能する第２バッファゾーン１１７と、により構成されている。
【００５７】
また、上記コントロールデータゾーン１１６を構成する一のブロック１１６-n内には、予備情報１４１及び１４４と、ＤＶＤ−Ｒ１Ｒの製造に関連する製造情報（製造メーカ等）が記録されているディスク製造情報１４２と、ＤＶＤ−Ｒ１Ｒの光ディスクとしての種類等を示す情報である物理フォーマット情報１４３と、が含まれている。
【００５８】
更に、物理フォーマット情報１４３内には、ＤＶＤ−Ｒ１Ｒの光ディスクとしての種類（すなわち、ＤＶＤ−Ｒであること）を示す第１種類情報１４５と、その他の情報である他情報１４６と、が含まれている。このとき、第１種類情報１４５は４ビットの情報により構成されており、ＤＶＤ−Ｒ１Ｒの場合にその値は「００１０ｂ（「ｂ」は二進数を示す。）」とされている。
【００５９】
なお、他のＤＶＤである再生専用のＤＶＤ、記録可能な上記ＤＶＤ−ＲＷ及びＤＶＤ−ＲＡＭにおいても上記第１種類情報１４５を用いることが規格化されており、具体的には、再生専用のＤＶＤの場合はその値が「００００ｂ」、ＤＶＤ−ＲＷの場合はその値が「００１１ｂ」、ＤＶＤ−ＲＡＭの場合はその値が「０００１ｂ」となるように夫々設定されている。
【００６０】
（II）記録情報の物理フォーマット及び論理フォーマット
次に、実施形態の情報記録再生装置により上記データ領域ＤＡ内に記録される記録情報が準拠すべき物理フォーマット及び論理フォーマットについて、その概要を、図２乃至図６を用いて説明する。
【００６１】
なお、図２、図４及び図５は当該物理フォーマットを階層的に示す図であり、図３は当該物理フォーマットにおけるＧＯＰ（Group  Of  Picture）の構成を示す図であり、図６は当該物理フォーマットに対応する論理フォーマットを階層的に示す図である。
【００６２】
また、以下に説明する物理フォーマットは、上記ＤＶＤ−Ｒ１Ｒに記録されるべき記録情報だけでなく再生専用のＤＶＤに記録されている記録情報及びＤＶＤ−ＲＷ及びＤＶＤ−ＲＡＭに記録されるべき記録情報も準拠すべき物理フォーマットである。
【００６３】
図２に示すように、上記データ領域ＤＡ内には、映像情報及び音声情報が、夫々にＩＤ（識別）番号を有する複数のＶＴＳ（Video  Title  Set）３（ＶＴＳ＃１乃至ＶＴＳ＃ｎ）に分割されて記録されている。
【００６４】
ここで、ＶＴＳとは、映像情報及びそれに関連する（それに含まれる音声情報及び副映像情報（映画における字幕等の副映像の情報をいう。）の数や、仕様、対応言語等の属性が同じ）タイトル（映画等の、製作者が視聴者に提示しようとする一つの作品）を一まとめにしたセット（纏まり）であり、より具体的には、例えば、一本の同じ映画について、異なる言語のセルフ等を有する複数の映画が夫々にタイトルとして記録されていたり、又は、同じ映画であっても劇場版と特別版とが夫々別のタイトルとして記録されていたりするものである。
【００６５】
また、ＶＴＳ３におけるＶＴＳ＃１が記録されている領域の直前には、ビデオマネージャ２が記録される。このビデオマネージャ２の細部構成については後ほど詳述する。
【００６６】
次に、一のＶＴＳ３は、コントロールデータ１１を先頭として、夫々にＩＤ番号を有する複数のＶＯＢ１０に分割されて記録されている。ここで、複数のＶＯＢ１０により構成されている部分をＶＯＢセット（ＶＯＢＳ）という。このＶＯＢセットは、ＶＴＳ３を構成する他のデータであるコントロールデータ１１と、映像情報及び音声情報の実体である複数のＶＯＢ１０の部分とを区別するために当該実体部分についてＶＯＢセットとしたものである。
【００６７】
ＶＴＳ３の先頭に記録されるコントロールデータ１１には、複数のセル（セルについては後述する。）を組み合わせた論理的区分であるプログラムチェインに関する種々の情報であるＰＧＣＩ（Program  Chain  Information）等の情報及びそれらのバックアップ情報がＶＴＳＩ（Video  Title  Set  Information）として記録される。また、各ＶＯＢ１０には、制御情報の他に映像情報及び音声情報の実体部分（制御情報以外の映像又は音声そのもの）が記録される。
【００６８】
更に、一のＶＯＢ１０は、夫々にＩＤ番号を有する複数のセル２０により構成されている。ここで、一のＶＯＢ１０は、複数のセル２０により完結するように構成されており、一のセル２０が二つのＶＯＢ１０に跨がることはない。
【００６９】
次に、一のセル２０は、夫々にＩＤ番号を有する複数のＶＯＢユニット（ＶＯＢＵ）３０により構成されている。ここで、ＶＯＢユニット３０とは、映像情報、音声情報及び副映像情報の夫々を含む単位情報である。
【００７０】
そして、一のＶＯＢユニット３０は、ＶＯＢユニット３０に含まれているデータ等を制御対象とする制御情報が格納されているナビゲーションパック（以下、単にナビパックと称する。）４１と、映像情報としてのビデオデータ４２と、音声情報としてのオーディオデータ４３と、副映像情報としてのサブピクチャデータ４４とにより構成されている。ここで、ビデオデータ４２としては映像データのみが記録され、オーディオデータ４３としては音声データのみが記録される。また、サブピクチャデータ４４としては副映像としての文字や図形等のグラフィックデータのみが記録される。なお、ＤＶＤ−Ｒ１Ｒに記録可能な音声は最大で８種類であり、記録可能な副映像の種類は最大で３２種類であることが規格上定められている。
【００７１】
また、一のＶＯＢユニット３０に対応する再生時間（一のナビパック４１と当該一のナビパック４１に隣接するナビパック４１との間に記録されているデータに対応する再生時間）は、０．４秒以上１秒以下の長さを有するように記録される。従って、ナビパック４１は、再生時、０．４秒乃至１秒に１回は必ず検出されることとなる。
【００７２】
更に、一のＶＯＢユニット３０において、ナビパック４１は必ずその先頭に存在するが、ビデオデータ４２、オーディオデータ４３及びサブピクチャデータ４４の夫々は、必ずしもＶＯＢユニット３０中に存在する必要はなく、また、存在する場合にもその数や順序は任意に設定することができる。
【００７３】
ここで、図２に示すビデオデータ４２、オーディオデータ４３及びサブピクチャデータ４４の夫々の区分を一般にパックＰという。
【００７４】
すなわち、一のＶＯＢユニット３０においては、ビデオデータ４２、オーディオデータ４３及びサブピクチャデータ４４が、夫々パックＰに分割されて記録されていることとなり、ビデオデータ４２が記録されているパックＰをビデオパック、オーディオデータ４３が記録されているパックＰをオーディオパック、サブピクチャデータ４４が記録されているパックＰをサブピクチャパックという。更に、各パックＰの先頭に記録されるパックヘッダには、夫々のパックＰに含まれているデータを、ＤＶＤ−Ｒ１Ｒに記録されている情報を再生する情報記録再生装置におけるトラックバッファから読み出して夫々のバッファへの入力を開始すべき再生時間軸上の読み出し開始時刻を示すＳＣＲ（System  Clock  Reference）と呼ばれる読み出し開始時刻情報が記録される。また、上記各パックＰについては、通常、当該パックＰを更に細分化した記録単位であるパケット毎にビデオデータ４２、オーディオデータ４３又はサブピクチャデータ４４が記録されるが、本実施の形態におけるＤＶＤ−Ｒ１Ｒでは、一般に一のパックＰが一のパケットにより構成されている。
【００７５】
最後に、ナビパック４１は、再生表示させたい映像又は音声等を検索するための検索情報（具体的には、当該再生表示させたい映像又は音声等が記録されているＤＶＤ−Ｒ１Ｒ上のアドレス等）であるＤＳＩデータ５１と、ＤＳＩデータ５１に基づいて検索してきた映像又は音声を表示する際の再生表示制御に関する情報であるＰＣＩデータ５０とにより構成される。このとき、ＤＳＩデータ５１及びＰＣＩデータ５０は、夫々パケットＰＴとしてのＤＳＩパケット及びＰＣＩパケットを構成して記録されることとなる。
【００７６】
更に、一のＶＯＢユニット３０に含まれている全てのビデオデータ４２は、一又は複数のＧＯＰ（Group  Of  Picture）により構成されている。
【００７７】
このＤＳＩデータ５１及びＰＣＩデータ５０については、後ほど詳述する。
【００７８】
また、ＰＣＩデータ５０には、視聴者によって選択される選択項目に対して、その項目が選択されたときの表示や動作を定義したハイライト情報が含まれている。このハイライト情報によって、例えば、視聴者が選択すべき項目を表示した画像（いわゆるメニュー画面）における、項目選択に対する画面表示の変化や、当該選択に対応して変化すべき表示位置及び選択された項目に対するコマンド（選択された項目に対して実行される動作を示す命令）等の設定が行われる。
【００７９】
ここで、メニュー画面を構成して表示するために必要な、枠、選択ボタン等を表示するための画像情報は、上記の副映像情報であるサブピクチャデータ４４として記録されている。
【００８０】
更に、上記ＧＯＰは、本実施の形態におけるＤＶＤ−Ｒ１Ｒに映像情報を記録する際に採用されている画像圧縮方式であるＭＰＥＧ（Moving  Picture  Expert  Group）２方式の規格において定められている単独で再生可能な最小の画像単位であり、各ＧＯＰの先頭には、当該ＧＯＰに含まれるビデオデータ４２を表示すべき再生時間軸上の再生時刻を示すＰＴＳ（Presentation  Time  Stamp）と呼ばれる再生表示時刻情報が記録される。
【００８１】
ここで、ＭＰＥＧ２方式についてその概要を説明すると、一般に、連続したフレーム画像において、一枚のフレーム画像の前後にあるフレーム画像は、互いに類似し相互関係を有している場合が多い。ＭＰＥＧ２方式はこの点に着目し、数フレームを隔てて転送される複数のフレーム画像に基づき、当該複数のフレーム画像の間に存在する別のフレーム画像を、原画像の動きベクトル等に基づく補間演算にて生成する方式である。この場合、当該別のフレーム画像を記録する場合には、複数のフレーム画像との間における差分及び動きベクトルに関する情報を記録するだけで、再生時には、それらを参照して上記複数のフレーム画像から予測して当該別のフレーム画像を再生することが可能となる。これにより、画像の圧縮記録が可能となるのである。
【００８２】
更に、上記ＧＯＰについて図３を用いてその概要を説明する。なお図３は、一のＧＯＰを構成する複数のフレーム画像の例を示している。図３では、一のＧＯＰ５２が１２枚のフレーム画像から構成されている場合（ＭＰＥＧ２方式では、一のＧＯＰ５２に含まれるフレーム画像数は一定ではない。）を示しているが、この内、符号「Ｉ」で示されるフレーム画像は、Ｉピクチャ（Intra-coded  picture：イントラ符号化画像）と呼ばれ、自らの画像のみで完全なフレーム画像を再生することができるフレーム画像をいう。また、符号「Ｐ」で示されるフレーム画像は、Ｐピクチャ（Predictive-coded  picture：前方予測符号化画像）と呼ばれ、既に復号化されたＩピクチャ又は他のＰピクチャに基づいて補償再生された予測画像との差を復号化する等して生成する予測画像である。また、符号「Ｂ」で示されるフレーム画像は、Ｂピクチャ（Bidirectionally  predictive-coded  picture：両方向予測符号化画像）といい、既に復号化されたＩピクチャ又はＰピクチャのみでなく、光ディスク等に記録されている時間的に未来のＩピクチャ又はＰピクチャをも予測に用いて再生される予測画像をいう。ここで、図３においては、各ピクチャ間の予測関係（補間関係）を矢印で示している。
【００８３】
なお、実施形態に係るＤＶＤ−Ｒ１Ｒを含むＤＶＤで用いられている一般のＭＰＥＧ２方式においては、夫々のＧＯＰ５２に含まれるデータ量が一定でない可変レート方式を採用している。すなわち、一のＧＯＰ５２に含まれる各ピクチャが、動きの速い動画に対応しており、各ピクチャ間の相関関係が小さい場合には、各ピクチャを構成するためのデータ量が多くなり、従って、一のＧＯＰ５２に含まれるデータ量も多くなる。一方、一のＧＯＰ５２に含まれる各ピクチャが、あまり動きのない動画に対応しており、各ピクチャ間の相関関係が大きい場合には、各ピクチャを構成するためのデータ量も少なくなり、一のＧＯＰ５２に含まれるデータ量も少なくなることとなる。
【００８４】
以上説明した図２に示す階層構造の物理フォーマットにおいて、夫々の区分は、記録情報の製作者がその意図に応じて自在に区分設定をして記録させるものである。これらの区分毎に後述の論理構造に基づいて再生することにより、変化に富んだ種々の再生が可能となるのである。
【００８５】
次に、上記ビデオマネージャ２の細部構成について、図４を用いて説明する。
【００８６】
先ず、ビデオマネージャ２は、ＤＶＤ−Ｒ１Ｒに記録されている映像情報及び音声情報の全体に係わる情報であるビデオマネージャ２本体としてのＶＭＧＩ（Video  Manager  Information）４と、その他の付随的な情報である他情報５と、により構成されている。
【００８７】
次に、ＶＭＧＩ４は、上述した夫々のタイトルにアクセスするためのアクセステーブル６と、その他の情報として各タイトルの名前を示すメニュー、違法コピー防止のための情報又はこれらの情報のバックアップ情報等を含む他情報７と、により構成されている。
【００８８】
更に、アクセステーブル６内には、上記ビデオマネージャ２としての識別情報である識別情報８と、上記第１種類情報１４５と同様にＤＶＤ−Ｒ１Ｒの光ディスクとしての種類を示す本発明の特徴的な情報である第２種類情報９と、その他の情報である他情報１２と、が含まれている。このとき、第２種類情報９は後述するように記録情報のＤＶＤ−Ｒ１Ｒに対する記録時に併せて記録される（この点で、予め製造段階で記録済みとなっている上記第１種類情報１４５とは異なっている。）２ビットの情報であり、ＤＶＤ−Ｒ１Ｒの場合にその値は「１０ｂ」とされている。
【００８９】
また、他情報１２内には、現在説明している物理フォーマットの規格上のバージョン番号を示すバージョン情報等が含まれている。
【００９０】
なお、他のＤＶＤである再生専用のＤＶＤ、記録可能な上記ＤＶＤ−ＲＷ及びＤＶＤ−ＲＡＭにおいても上記第２種類情報９及び後述する第２種類情報８８が用いられ、具体的には、上記第１種類情報１４５と同様に、再生専用のＤＶＤの場合はその値が「００ｂ」、ＤＶＤ−ＲＡＭの場合はその値が「０１ｂ」、ＤＶＤ−ＲＷの場合はその値が「１１ｂ」となるように夫々設定されている。
【００９１】
次に、上記ＤＳＩデータ５１及びＰＣＩデータ５０の物理的なデータ構造について、図５を用いて説明する。
【００９２】
先ず、ＰＣＩデータ５０は、図５に示すように、ＰＣＩデータ５０本体としての一般情報５５と、その他の情報である他情報５６と、により構成されている。
【００９３】
更に、一般情報５５は、上記ナビパック４１のＶＯＢ１０の先頭からの相対的な記録アドレス情報であるナビパック相対位置情報７０と、そのナビパック４１が含まれているＶＯＢユニット３０の再生時間軸上における再生開始時刻を示すＶＯＢＵ再生開始時刻情報７１と、当該ＶＯＢユニット３０の再生時間軸上における再生終了時刻を示すＶＯＢＵ再生終了時刻情報７２と、その他の情報である他情報７３と、により構成されている。
【００９４】
次に、ＤＳＩデータ５１は、ＤＳＩデータ５１本体としての一般情報７５と、当該ナビパック４１が属するＶＯＢ１０に関する情報であるＶＯＢ情報７６と、そのナビパック４１が属しているＶＯＢユニット３０の前後に再生されるべき他のＶＯＢユニット３０のＤＶＤ−Ｒ１Ｒ上の記録位置を示すＶＯＢＵサーチ情報７７と、その他の情報である他情報７８と、により構成されている。
【００９５】
そして、一般情報７５は、上記ナビパック相対位置情報７０と同様のナビパック相対位置情報８５と、そのナビパック４１が属しているＶＯＢユニット３０を識別するためのＶＯＢＵ識別番号８６と、その他の情報である他情報８７と、上記第２種類情報９と同一の値を有する２ビットの第２種類情報８８と、により構成されている。
【００９６】
更に、ＶＯＢ情報７６は、そのナビパック４１を含むＶＯＢユニット３０が属するＶＯＢ１０の再生時間軸上における再生開始時刻を示すＶＯＢ再生開始時刻情報８０と、当該ＶＯＢ１０の再生時間軸上における再生終了時刻を示すＶＯＢ再生終了時刻情報８１と、その他の情報である他情報８２と、により構成されている。
【００９７】
更にまた、ＶＯＢＵサーチ情報７７としては、当該ナビパック４１が属しているＶＯＢユニット３０の次のＶＯＢユニット３０及び一つ前のＶＯＢユニット３０のＤＶＤ−Ｒ１Ｒ上の記録位置を示す位置情報及び当該ＶＯＢユニット３０の開始時刻から１２０秒後乃至１２０秒前の範囲で再生されるべき他のＶＯＢユニット３０のＤＶＤ−Ｒ１Ｒ上の記録位置を示す位置情報が図３に示すように一覧表として含まれている。
【００９８】
なお、上述した各情報のうち、ビデオマネージャ２、コントロールデータ１１、ナビパック４１及び各パックヘッダ内のＰＴＳ等の、記録情報の再生態様を管理するための情報を纏めてナビゲーション情報と称する。
【００９９】
次に、図２、図４及び図５に示す物理的な区分により記録された記録情報を組み合わせた論理フォーマット（論理構造）について図６を用いて説明する。なお、図６に示す論理構造は、その構造で実際にＤＶＤ−Ｒ１Ｒ上に情報が記録されているのではなく、図６に示す論理構造で図２、図４及び図５に示す各データ（特にセル２０）を組み合わせて再生するための情報（アクセス情報又は時間情報等）がＤＶＤ−Ｒ１Ｒ上の、特にコントロールデータ１１の中に記録されるものである。
【０１００】
説明の明確化のために、図６の下位の階層から説明していくと、上記図２において説明した物理フォーマットのうち、複数のセル２０を選択して組み合わせることにより、一のプログラム６０が製作者の意図に基づいて論理上構成される。このプログラム６０は、上記情報再生装置におけるシステムコントローラが区分を識別してコマンドによってアクセスできる最小の論理的単位でもある。なお、このプログラム６０を一又は複数個纏めたものを視聴者が自由に選択して視聴することができる最小単位として製作者が定義することもでき、この単位をＰＴＴ（Part  of  Title）という。
【０１０１】
また、一のプログラム６０が複数のセル２０を選択して論理的に構成されることから、複数のプログラム６０で一のセル２０を用いる、すなわち、一のセル２０を異なった複数のプログラム６０において再生させる、いわゆるセル２０の使い回しを製作者が行うことも可能となっている。
【０１０２】
ここで、一のセル２０の番号については、当該セル２０を図２に示す物理フォーマットにおいて取り扱う際にはセルＩＤ番号として扱われ（図２中、セルＩＤ＃と示す。）、図６に示す論理フォーマットにおいて取り扱う際には、後述のＰＧＣＩ中の記述順にセル番号として扱われる。
【０１０３】
次に、複数のプログラム６０を組み合わせて一のＰＧＣ（Program  Chain）６１が製作者の意図に基づいて論理上構成される。このＰＧＣ６１の単位で、前述したＰＧＣＩが定義され、当該ＰＧＣＩには、夫々のプログラム６０を再生する際の各プログラム６０毎のセル２０の再生順序（この再生順序により、プログラム６０毎に固有のプログラム番号が割当てられる。）、夫々のセル２０のＤＶＤ−Ｒ１Ｒ上の記録位置であるアドレス、一のプログラム６０における再生すべき先頭セル２０の番号、各プログラム６０の再生方式（本実施形態のＤＶＤ−Ｒ１Ｒに情報を記録する際には、再生時において、通常再生、ランダム再生（乱数によるランダム再生であり、同じプログラム６０が複数回再生されることがある。）又はシャッフル再生（ランダム再生と同様の乱数によるランダム再生であるが、同じプログラム６０は一度しか再生されず、同じプログラム６０が複数回再生されることはない。）のうち、いずれか一つの再生方法をＰＧＣ６１毎に製作者が選択して再生させるようにすることができる。）及び各種コマンド（ＰＧＣ６１又はセル２０毎に製作者が指定可能なコマンド）が含まれている。
【０１０４】
なお、ＰＧＣＩのＤＶＤ−Ｒ１Ｒ上の記録位置は、上述の通りコントロールデータ１１（図２参照）内であるが、当該ＰＧＣＩがビデオマネージャ２内のメニューに関するＰＧＣＩである場合には、当該ＰＧＣＩの記録位置は、ビデオマネージャ２に含まれるコントロールデータ（図示を省略する。）内である。
【０１０５】
また、一のＰＧＣ６１には、上記ＰＧＣＩの他に、実体的な映像及び音声等のデータが、プログラム６０の組み合わせとして（換言すれば、セル２０の組み合わせとして）含まれることとなる。
【０１０６】
更に、一のＰＧＣ６１においては、上記のプログラム６０における説明において示したセル２０の使い回し（すなわち、異なるＰＧＣ６１により同一のセル２０を用いること。）も可能である。また、使用するセル２０については、ＤＶＤ−Ｒ１Ｒに記憶されている順番にセル２０を再生する方法（連続配置セルの再生）の他に、ＤＶＤ−Ｒ１Ｒに記憶されている順序に関係なく再生する（例えば、後に記録されているセル２０を先に再生する等）方法（非連続配置セルの再生）を製作者が選択することができる。
【０１０７】
次に、一又は複数のＰＧＣ６１により、一のタイトル６２が論理上構成される。このタイトル６２は、例えば、映画一本に相当する単位であり、製作者がＤＶＤ−Ｒ１Ｒの視聴者に対して提供したい完結した情報である。
【０１０８】
そして、一又は複数のタイトル６２により、一のＶＴＳ６３が論理上構成される。このＶＴＳ６３に含まれるタイトル６２は、夫々に共通の属性を有するものであり、例えば、一本の同じ映画に対して違う言語の映画が夫々のタイトル６２に相当することとなる。また、図６に示す一のＶＴＳ６３に相当する情報は、図２に示す一のＶＴＳ３に含まれている情報に対応している。すなわち、ＤＶＤ−Ｒ１Ｒには、図６に示すＶＴＳ６３内に論理上含まれる全ての情報が一のＶＴＳ３として記録されていることとなる。
【０１０９】
以上説明した論理フォーマットに基づいて、上述した物理フォーマットにおいて区分された記録情報を製作者が指定することにより、視聴者が見るべきタイトル（映画等）が形成されるのである。
【０１１０】
（III）情報記録再生装置の実施形態
次に、上述した物理フォーマットに則って記録情報をＤＶＤ−Ｒ１Ｒ又はＤＶＤ−ＲＷ（以下、単にＤＶＤ−Ｒ１Ｒ等と称する。）に記録すると共に、当該記録された情報をＤＶＤ−Ｒ１Ｒ等から再生するための実施形態に係る情報記録再生装置について、図７乃至図１０を用いて説明する。
【０１１１】
なお、図７は実施形態に係る情報記録再生装置の概要構成を示すブロック図であり、図８は実施形態に係る情報記録処理を示すフローチャートであり、図９は記録情報の再生処理を実行するに当たって実行されるいわゆるローディング処理（すなわち、ＤＶＤ−Ｒ１Ｒ等を実施形態の情報記録再生装置に装填するローディング処理）を示すフローチャートであり、図１０は実施形態に係る情報再生処理を示すフローチャートである。
【０１１２】
図７に示すように、実施形態に係る情報記録再生装置Ｓは、記録手段、第１検出手段及び第２検出手段としてのピックアップ１２０と、変調部１２１と、フォーマッタ１２２と、ビデオエンコーダ１２３と、オーディオエンコーダ１２４と、種類情報記録手段及び再生手段としてのシステムコントローラ１２５と、メモリ１２７と、復調部１２８と、ビデオデコーダ１２９と、オーディオデコーダ１３０と、サーボＩＣ（Integrated  Circuit）１３１と、スピンドルモータ１３２と、操作部１３３と、マルチプレクサ１３４と、デマルチプレクサ１３５と、により構成されている。また、システムコントローラ１２５は上記したナビパック４１等を生成するナビゲーション情報生成器１２６を備えている。
【０１１３】
次に、各部の概要動作を説明する。
【０１１４】
先ず、スピンドルモータ１３２は、サーボＩＣ１３１からのスピンドル制御信号Ｓssに基づいて、装填されているＤＶＤ−Ｒ１Ｒ等を予め設定された回転数で回転させる。
【０１１５】
一方、ＤＶＤ−Ｒ１Ｒ等のデータ領域ＤＡに記録すべき記録情報としてのビデオ情報Ｓvは、外部から入力された後、ビデオエンコーダ１２３に入力される。
【０１１６】
そして、ビデオエンコーダ１２３は、システムコントローラ１２５からの制御信号Ｓcvに基づき、ビデオ情報Ｓvに対して予め設定された符号化処理（具体的には、例えば上記ＭＰＥＧ２方式の圧縮符号化処理）を施し、符号化ビデオ信号Ｓevを生成してマルチプレクサ１３４へ出力する。
【０１１７】
他方、ＤＶＤ−Ｒ１Ｒ等のデータ領域ＤＡに記録すべき記録情報としてのオーディオ情報Ｓaは、外部から入力された後、オーディオエンコーダ１２４に入力される。
【０１１８】
そして、オーディオエンコーダ１２４は、システムコントローラ１２５からの制御信号Ｓcaに基づき、オーディオ情報Ｓaに対して予め設定された符号化処理（具体的には、例えば上記ＭＰＥＧ２方式の圧縮符号化処理）を施し、符号化オーディオ信号Ｓeaを生成してマルチプレクサ１３４へ出力する。
【０１１９】
これらにより、マルチプレクサ１３４は、符号化ビデオ信号Ｓevに含まれている画像情報と音声情報とを予め設定された処理により重畳し（マルチプレクスし）、重畳信号Ｓmxを生成してフォーマッタ１２２へ出力する。
【０１２０】
このとき、マルチプレクサ１３４は、上記符号化オーディオ信号Ｓeaについては、これらはそのまま通過させて重畳信号Ｓmxとする。
【０１２１】
次に、フォーマッタ１２２は、システムコントローラ１２５からの制御信号Ｓcfに基づき、後述するナビゲーション情報生成器１２６からのナビゲーション情報信号Ｓndと上記重畳信号Ｓmxとを図２、図４及び図５に示した物理フォーマットの形式となるように組み合わせ、フォーマット信号Ｓmtを生成して変調部１２１へ出力する。
【０１２２】
このとき、重畳信号Ｓmxとしてフォーマッタ１２２に入力される各記録情報は、ナビゲーション情報生成器１２６における上記ナビゲーション情報の生成に供されるべく、予め設定されているタイミングで記録情報信号Ｓfmとしてシステムコントローラ１２５へ出力される。
【０１２３】
そして、変調部１２１は、当該フォーマット信号Ｓmtに対して予め設定された変調処理（具体的には、例えばいわゆる８−１６変調処理）を施し、変調信号Ｓfeを生成してピックアップ１２０に出力する。
【０１２４】
これにより、ピックアップ１２０は、当該変調信号Ｓfeにより強度変調された光ビームＢを生成し、これをＤＶＤ−Ｒ１Ｒ等の図示しない情報記録面内の情報トラックに照射することで当該変調信号Ｓfeに含まれている上記ナビゲーション情報及び各記録情報に対応するピットを当該情報トラック上に形成し、当該ナビゲーション情報及び各記録情報を図１及び図３に示す物理フォーマットの形式でＤＶＤ−Ｒ１Ｒ等上に記録する。
【０１２５】
このとき、光ビームＢの集光位置と上記情報トラックとの上記情報記録面に垂直な方向及び水平な方向のずれは、サーボＩＣ１３１から出力されるピックアップサーボ信号Ｓspに基づいて当該ピックアップ１２０内の図示しない対物レンズ（光ビームＢを集光するための対物レンズ）が上記垂直な方向及び水平な方向に移動される（すなわち、いわゆるフォーカスサーボ制御及びトラッキングサーボ制御が実行される）ことにより解消される。
【０１２６】
このため、サーボＩＣ１３１は、システムコントローラ１２５からの制御信号Ｓscに基づいて、上記スピンドル制御信号Ｓss及びピックアップサーボ信号Ｓspを生成し、夫々スピンドルモータ１３２及びピックアップ１２０へ出力する。
【０１２７】
他方、ピックアップ１２０は、ＤＶＤ−Ｒ１Ｒ等に既に記録されている記録情報等を再生する場合には、一定強度の再生用の光ビームＢを生成して上記ピットが形成されている情報トラックに照射し、その反射光に基づいて当該記録情報等に対応する検出信号Ｓppを生成し、復調部１２８へ出力する。
【０１２８】
これにより、復調部１２８は、検出信号Ｓppに対して上記変調部１２１における変調処理に対応する復調処理を施し、復調信号Ｓpdを生成してデマルチプレクサデ１３５へ出力する。
【０１２９】
そして、デマルチプレクサ１３５は、復調信号Ｓpdがビデオ情報を含むときは当該ビデオ情報に含まれる画像情報と音声情報とを分離し、分離信号Ｓdmxを生成してビデオデコーダ１２９へ出力する。
【０１３０】
一方、復調信号Ｓpdがオーディオ情報のみを含むときは、デマルチプレクサ１３５は、当該復調信号Ｓpdをそのまま通過させオーディオデコーダ１３０へ出力する。
【０１３１】
次に、ビデオデコーダ１２６は、システムコントローラ１２５からの制御信号Ｓcdvに基づき、分離信号Ｓdmxに対して上記ビデオエンコーダ１２３における固定符号化レートの符号化処理に対応する復号処理を施し、復号ビデオ信号Ｓdvを生成して外部の図示しないモニタ等に出力する。
【０１３２】
更に、オーディオデコーダ１３０は、システムコントローラ１２５からの制御信号Ｓcdaに基づき、オーディオ情報を含む復調信号Ｓpdに対して上記オーディオエンコーダ１２４における固定符号化レートの符号化処理に対応する復号処理を施し、復号オーディオ信号Ｓdaを生成して外部の図示しないアンプ等に出力する。
【０１３３】
また、操作部１３３は、情報記録再生装置Ｓにおける記録処理又は再生処理を実行するための操作が使用者により実行されたとき、当該操作に対応する操作信号Ｓinを生成してシステムコントローラ１２５へ出力する。
【０１３４】
更に、ナビゲーション情報生成器１２６は、操作信号Ｓin及び記録情報信号Ｓfmに基づくシステムコントローラ１２５の制御に基づいて、後述する記録処理時にＤＶＤ−Ｒ１Ｒ等に記録すべき上記各ナビゲーション情報を含む上記ナビゲーション情報信号Ｓndを生成し、フォーマッタ１２２の一方の入力端子へ出力する。
【０１３５】
これにより、上記フォーマッタ１２２により重畳信号Ｓmx中の記録情報とナビゲーション情報信号Ｓnd中のナビゲーション情報とが重畳され、図２、図４及び図５に示す物理フォーマットを有する記録情報を含む上記フォーマット信号Ｓmtが生成されることとなる。
【０１３６】
これらの動作と並行して、システムコントローラ１２５は、メモリ１２７との間でメモリ信号Ｓmとして必要な情報の授受を行いつつ、上記各動作を制御するための各制御信号Ｓcv、Ｓca、Ｓcf、Ｓsc、Ｓcdv及びＳcdaを生成して夫々に対応する構成部材へ出力すると共に、以下に説明する記録処理及び再生処理等を統括制御する。
【０１３７】
（ｉ）記録処理の実施形態
次に、実施形態に係る記録情報の記録処理について、具体的に図８を用いて説明する。なお、以下に説明する記録処理は、情報記録再生装置Ｓに対して記録可能なＤＶＤであるＤＶＤ−Ｒ１Ｒ等（ＤＶＤ−ＲＡＭを除く。）が装填されて実行される正規の（不法でない）記録処理である。
【０１３８】
図８に示すように、実施形態の記録処理においては、上記ＤＶＤ−Ｒ１Ｒ等が装填され、記録処理を開始する旨の指示が操作部１３３において実行されると、先ず、当該装填されたＤＶＤ−Ｒ１Ｒ等に既に記録されている上記第１種類情報１４５が検出される（ステップＳ１）。
【０１３９】
次に、検出した第１種類情報１４５の内容を確認し（ステップＳ２）、その値がＤＶＤ−Ｒ１Ｒであることを示す「００１０ｂ」であるときは（ステップＳ２；ＹＥＳ）、上記第２種類情報９（ＶＭＧＩ４内に含まれる第２種類情報）及び８８（ＤＳＩデータ５１内に含まれる第２種類情報）を夫々「１０ｂ」としてナビゲーション情報生成器１２６内で設定して（ステップＳ３）記録情報の記録を開始する（ステップＳ４）。このステップＳ４の処理により、装填されているＤＶＤ−Ｒ１Ｒ内に上記図１乃至図５で示した物理フォーマットにより上記第１種類情報１４５並びに第２種類情報９及び８８を含む記録情報が記録されていく。
【０１４０】
そして、操作部１３３において記録処理を停止する旨の操作が為されたか否かが確認され（ステップＳ５）、為されていないときは（ステップＳ５；ＮＯ）ステップＳ４に戻って記録処理を継続し、一方、停止操作が為されたときは（ステップＳ５；ＹＥＳ）、その時点で記録処理を停止して（ステップＳ６）、一連の記録処理を終了する。
【０１４１】
他方、ステップＳ２の判定において、検出した第１種類情報１４５の内容が「００１０ｂ」でないときは（ステップＳ２；ＮＯ）、）、次に、検出した第１種類情報１４５の内容がＤＶＤ−ＲＷであることを示す「００１１ｂ」であるか否かを確認する（ステップＳ７）。
【０１４２】
そして、検出した第１種類情報１４５の値が「００１１ｂ」であるときは（ステップＳ７；ＹＥＳ）、上記第２種類情報９及び８８を夫々「１１ｂ」としてナビゲーション情報生成器１２６内で設定して（ステップＳ８）記録情報の記録を開始し（ステップＳ４）以後上記ステップＳ５以降の処理を実行する。ここで、今回のステップＳ４の処理においては、装填されているＤＶＤ−ＲＷ内に上記図１乃至図５で示した物理フォーマットにより記録情報が記録されていくこととなる。
【０１４３】
なお、上記した不法な記録処理においては、図８におけるステップＳ３及びＳ８の処理が実行されないこととなるので、結果として、当該不法な記録処理が為された光ディスクにおいては、第１種類情報１４５の内容と第２種類情報９及び８８の内容とが相違しているか、又は第２種類情報９及び８８が全く記録されないこととなる。より具体的には、例えば、再生専用ＤＶＤに記録された記録情報がＤＶＤ−Ｒ１Ｒにビット−バイ−ビット方式で違法に複写された場合、第２種類情報９及び８８は、再生専用ＤＶＤであることを示す「００ｂ」のままであることとなる。
【０１４４】
また、上記ステップＳ７の判定において、第１種類情報１４５の内容が「００１１ｂ」でないときは（ステップＳ７；ＮＯ）、結局第１種類情報１４５の内容が「００１０ｂ」又は「００１１ｂ」のいずれでもないこととなるので、その場合は現在装填されているＤＶＤが第１種類情報の内容が「００００ｂ」である再生専用のＤＶＤであることとなるため、直ちに記録処理を停止する。
【０１４５】
（ii）再生処理の実施形態
次に、図８に示す記録処理により記録情報が記録されたＤＶＤ−Ｒ１Ｒ等内の当該記録情報を再生する実施形態に係る再生処理について、具体的に図９及び図１０を用いて説明する。
【０１４６】
（Ａ）ローディング処理の実施形態
始めに、記録情報の再生時においてＤＶＤ−Ｒ１Ｒ等が情報記録再生装置Ｓ内に装填（ローディング）される際の処理について図９を用いて説明する。
【０１４７】
図９に示すように、実施形態のローディング処理においては、始めに、情報記録再生装置Ｓ内の図示しない装填口からＤＶＤ−Ｒ１Ｒ等が挿入され、これを図示しないローディング機構によりスピンドルモータ１３２の回転軸に固定する当該ローディング処理が開始される（ステップＳ１０）。
【０１４８】
そして、当該ＤＶＤ−Ｒ１Ｒ等のローディングが完了したか否かが確認され（ステップＳ１１）、完了していないときは（ステップＳ１１；ＮＯ）再度ステップＳ１０に戻ってローディング処理を継続し、一方、完了しているときは（ステップＳ１１；ＹＥＳ）、次に、上述した各サーボ制御を介してＤＶＤ−Ｒ１Ｒ等の回転及び光ビームＢの集光が開始される（ステップＳ１２）。
【０１４９】
そして、上記したリードインエリアＬＩＡ内の開始情報等（上記第１種類情報１４５を含む。）及び上記ＶＭＧＩ４の読み出しが実行される（ステップＳ１３）。
【０１５０】
その後、ステップＳ１３においてＶＭＧＩ４が正常に読み出されたか否かが確認され（ステップＳ１４）、正常に読み出されないときは（ステップＳ１４；ＮＯ）、ＤＶＤ−Ｒ１Ｒに記録されている記録情報が上述した物理フォーマットに準拠していないとして、その旨を使用者に告知した後に次の再生処理に移行する。
【０１５１】
他方、ＶＭＧＩ４が正常に読み出されたときは（ステップＳ１４；ＹＥＳ）、次に、読み出されたＶＭＧＩ４に基づいて物理フォーマットのバージョン番号の確認等の初期確認が実行され（ステップＳ１５）、次に、上記読み出されている（ステップＳ１３）第１種類情報１４５の内容が確認され、その値が再生専用のＤＶＤであることを示す「００００ｂ」であるか否かが確認される（ステップＳ１６）。
【０１５２】
そして、第１種類情報１４５の内容が「００００ｂ」であるときは（ステップＳ１６；ＹＥＳ）、次に、ＶＭＧＩ４中の上記第２種類情報９が「００ｂ」であるか否かが判定される（ステップＳ１７）。
【０１５３】
これにより、第２種類情報９が「００ｂ」であるときは（ステップＳ１７；ＹＥＳ）、現在正規の再生専用のＤＶＤが情報記録再生装置Ｓ内に装填されているとして次の再生処理に移行する。
【０１５４】
一方、ステップＳ１７の判定において、第２種類情報９が「００ｂ」でないときは（ステップＳ１７；ＮＯ）、現在装填されている光ディスクにおいて第１種類情報１４５により示される光ディスクの種類と第２種類情報９により示される光ディスクの種類とが相違しており、この光ディスクが違法に記録情報の複写が行われて形成された光ディスクである可能性が高いとして、直ちにその光ディスクを情報記録再生装置Ｓ外に排出し（ステップＳ２２）、ローディング処理を含む再生処理を終了する。
【０１５５】
他方、ステップＳ１６の判定において、検出された第１種類情報１４５の内容が「００００ｂ」でないときは（ステップＳ１６；ＮＯ）、次に、その値がＤＶＤ−Ｒ１Ｒであることを示す「００１０ｂ」であるか否かが確認される（ステップＳ１８）。
【０１５６】
そして、第１種類情報１４５の内容が「００１０ｂ」であるときは（ステップＳ１８；ＹＥＳ）、次に、上記第２種類情報９が「１０ｂ」であるか否かが判定される（ステップＳ１９）。
【０１５７】
これにより、第２種類情報９が「１０ｂ」であるときは（ステップＳ１９；ＹＥＳ）、現在正規のＤＶＤ―Ｒ１Ｒが情報記録再生装置Ｓ内に装填されているとして次の再生処理に移行する。
【０１５８】
一方、ステップＳ１９の判定において、第２種類情報９が「１０ｂ」でないときは（ステップＳ１９；ＮＯ）、現在装填されている光ディスクにおいて第１種類情報１４５により示される光ディスクの種類と第２種類情報９により示される光ディスクの種類とが相違しており、この光ディスクが違法に記録情報の複写が行われて形成された光ディスクである可能性が高いとして、直ちにその光ディスクを情報記録再生装置Ｓ外に排出し（ステップＳ２２）、ローディング処理を含む再生処理を終了する。
【０１５９】
更に、ステップＳ１８の判定において、検出された第１種類情報１４５の内容が「００１０ｂ」でもないときは（ステップＳ１８；ＮＯ）、次に、その値がＤＶＤ−ＲＷであることを示す「００１１ｂ」であるか否かが確認される（ステップＳ２０）。
【０１６０】
そして、第１種類情報１４５の内容が「００１１ｂ」であるときは（ステップＳ２０；ＹＥＳ）、次に、上記第２種類情報９が「１１ｂ」であるか否かが判定される（ステップＳ２１）。
【０１６１】
これにより、第２種類情報９が「１１ｂ」であるときは（ステップＳ２１；ＹＥＳ）、現在正規のＤＶＤ―ＲＷが情報記録再生装置Ｓ内に装填されているとして次の再生処理に移行する。
【０１６２】
一方、ステップＳ２１の判定において、第２種類情報９が「１１ｂ」でないときは（ステップＳ２１；ＮＯ）、現在装填されている光ディスクにおいて第１種類情報１４５により示される光ディスクの種類と第２種類情報９により示される光ディスクの種類とが相違しており、この光ディスクが違法に記録情報の複写が行われて形成された光ディスクである可能性が高いとして、直ちにその光ディスクを情報記録再生装置Ｓ外に排出し（ステップＳ２２）、ローディング処理を含む再生処理を終了する。
【０１６３】
（Ｂ）再生処理の実施形態
次に、上述したローディング処理に引き続いて実行される実施形態に係る再生処理について、図１０を用いて説明する。
【０１６４】
図１０に示すように、実施形態の再生処理においては、始めに、現在情報記録再生装置Ｓ内に装填されている光ディスクから上記開始情報等及びＶＭＧＩ４が読み出され、当該読み出されたＶＭＧＩ４に基づいて物理フォーマットのバージョン番号の確認等の初期確認が実行される（ステップＳ２５）。
【０１６５】
そして、初期確認が完了すると、次に、当該読み出されている（ステップＳ２５）第１種類情報１４５の内容が確認され、その値が再生専用のＤＶＤであることを示す「００００ｂ」であるか否かが確認される（ステップＳ２６）。
【０１６６】
そして、第１種類情報１４５の内容が「００００ｂ」であるときは（ステップＳ２６；ＹＥＳ）、次に、それに記録されている記録情報の再生（光ディスクからの検出）が開始され（ステップＳ２７）、更に、ＤＳＩデータ５１内の上記第２種類情報８８が「００ｂ」であるか否かが判定される（ステップＳ２８）。
【０１６７】
これにより、第２種類情報８８が「００ｂ」であるときは（ステップＳ２８；ＹＥＳ）、現在正規の再生専用のＤＶＤが情報記録再生装置Ｓ内に装填されているとして再生処理を継続し、次に、再生処理を停止する旨の操作が操作部１３３において実行されたか否かが確認される（ステップＳ２９）。
【０１６８】
そして、停止操作が実行されていないときは（ステップＳ２９；ＮＯ）再生処理を継続すべくステップＳ２７に戻ると共に再生継続に伴って逐次得られる各ＤＳＩデータ５１中の第２種類情報８８の値の確認を行い、一方、停止操作が実行されているときは（ステップＳ２９；ＹＥＳ）そのまま再生処理を停止し（ステップＳ３０）、一連の再生処理を終了する。
【０１６９】
他方、ステップＳ２８の判定において、第２種類情報８８が「００ｂ」でないときは（ステップＳ２８；ＮＯ）、現在装填されている光ディスクにおいて第１種類情報１４５により示される光ディスクの種類と第２種類情報８８により示される光ディスクの種類とが相違しており、この光ディスクが違法に記録情報の複写が行われて形成された光ディスクである可能性が高いとして、直ちにその光ディスクに対する再生処理を停止する（ステップＳ３１）と共にその光ディスクを情報記録再生装置Ｓ外に排出し（ステップＳ３２）、再生処理を終了する。
【０１７０】
更に、ステップＳ２６の判定において、検出された第１種類情報１４５の内容が「００００ｂ」でないときは（ステップＳ２６；ＮＯ）、次に、その値がＤＶＤ−Ｒ１Ｒであることを示す「００１０ｂ」であるか否かが確認される（ステップＳ３３）。
【０１７１】
そして、第１種類情報１４５の内容が「００１０ｂ」であるときは（ステップＳ３３；ＹＥＳ）、次に、それに記録されている記録情報の再生（光ディスクからの検出）が開始され（ステップＳ３４）、更に、上記第２種類情報８８が「１０ｂ」であるか否かが判定される（ステップＳ３５）。
【０１７２】
これにより、第２種類情報８８が「１０ｂ」であるときは（ステップＳ３５；ＹＥＳ）、現在正規のＤＶＤ―Ｒ１Ｒが情報記録再生装置Ｓ内に装填されているとして再生処理を継続し、次に、再生処理を停止する旨の操作が操作部１３３において実行されたか否かが確認される（ステップＳ３６）。
【０１７３】
そして、停止操作が実行されていないときは（ステップＳ３６；ＮＯ）再生処理を継続すべくステップＳ３４に戻ると共に再生継続に伴って逐次得られる各ＤＳＩデータ５１中の第２種類情報８８の値の確認を行い、一方、停止操作が実行されているときは（ステップＳ３６；ＹＥＳ）そのまま再生処理を停止し（ステップＳ３０）、一連の再生処理を終了する。
【０１７４】
他方、ステップＳ３５の判定において、第２種類情報８８が「１０ｂ」でないときは（ステップＳ２８；ＮＯ）、現在装填されている光ディスクにおいて第１種類情報１４５により示される光ディスクの種類と第２種類情報８８により示される光ディスクの種類とが相違しており、この光ディスクが違法に記録情報の複写が行われて形成された光ディスクである可能性が高いとして、直ちにその光ディスクに対する再生処理を停止する（ステップＳ３１）と共にその光ディスクを情報記録再生装置Ｓ外に排出し（ステップＳ３２）、再生処理を終了する。
【０１７５】
一方、ステップＳ３３の判定において、検出された第１種類情報１４５の内容が「００１０ｂ」でないときは（ステップＳ３３；ＮＯ）、次に、その値がＤＶＤ−ＲＷであることを示す「００１１ｂ」であるか否かが確認される（ステップＳ３７）。
【０１７６】
そして、第１種類情報１４５の内容が「００１１ｂ」であるときは（ステップＳ３７；ＹＥＳ）、次に、それに記録されている記録情報の再生（光ディスクからの検出）が開始され（ステップＳ３８）、更に、上記第２種類情報８８が「１１ｂ」であるか否かが判定される（ステップＳ３９）。
【０１７７】
これにより、第２種類情報８８が「１１ｂ」であるときは（ステップＳ３９；ＹＥＳ）、現在正規のＤＶＤ―ＲＷが情報記録再生装置Ｓ内に装填されているとして再生処理を継続し、次に、再生処理を停止する旨の操作が操作部１３３において実行されたか否かが確認される（ステップＳ４０）。
【０１７８】
そして、停止操作が実行されていないときは（ステップＳ４０；ＮＯ）再生処理を継続すべくステップＳ３８に戻ると共に再生継続に伴って逐次得られる各ＤＳＩデータ５１中の第２種類情報８８の値の確認を行い、一方、停止操作が実行されているときは（ステップＳ４０；ＹＥＳ）そのまま再生処理を停止し（ステップＳ３０）、一連の再生処理を終了する。
【０１７９】
他方、ステップＳ３９の判定において、第２種類情報８８が「１１ｂ」でないときは（ステップＳ３９；ＮＯ）、現在装填されている光ディスクにおいて第１種類情報１４５により示される光ディスクの種類と第２種類情報８８により示される光ディスクの種類とが相違しており、この光ディスクが違法に記録情報の複写が行われて形成された光ディスクである可能性が高いとして、直ちにその光ディスクに対する再生処理を停止する（ステップＳ３１）と共にその光ディスクを情報記録再生装置Ｓ外に排出し（ステップＳ３２）、再生処理を終了する。
【０１８０】
最後に、ステップＳ３７の判定において、検出された第１種類情報１４５の内容が「００１１ｂ」でもないときは（ステップＳ３７；ＮＯ）、現在装填されている光ディスクが情報記録再生装置Ｓにおいて再生され得ない種類の光ディスク（例えば、ＤＶＤ−ＲＡＭ）であるとして、直ちにその光ディスクに対する再生処理を停止する（ステップＳ３１）と共にその光ディスクを情報記録再生装置Ｓ外に排出し（ステップＳ３２）、再生処理を終了する。
【０１８１】
以上説明したように、実施形態の情報記録再生処理における記録処理及び再生処理によれば、予め記録されている第１種類情報１４５と同一の内容を有する第２種類情報９及び８８を当該第１種類情報１４５が記録されているＤＶＤ−Ｒ１Ｒ等に記録した後に記録情報を当該ＤＶＤ−Ｒ１Ｒ等に記録すると共に、当該記録情報の再生時において第１種類情報１４５と第２種類情報９又は８８とが同一の関係にあるときのみその再生を実行するので、第１種類情報１４５と異なる第２種類情報９又は８８が記録される不法な記録処理又は第２種類情報９又は８８が記録されない不法な記録処理により記録された記録情報の再生を禁止することができる。
【０１８２】
また、ＶＭＧＩ４内に第２種類情報９が記録され更にＤＳＩデータ５１内に第２種類情報８８が記録されるので、第２種類情報９又は８８のいずれか一方が改竄されても、他方の第２種類情報８８又は９を用いることで確実に上記不法な記録処理により記録された記録情報の再生を禁止することができる。
【０１８３】
（IV）情報記録再生装置の変形形態
次に、本発明に係る情報記録再生装置の変形形態について、図１１乃至図１４を用いて説明する。
【０１８４】
上述した実施形態の情報記録再生装置Ｓにおいては、第２種類情報９及び８８が詳細なディスクの種類毎に異なる値である場合について説明したが、これ以外に、再生専用のＤＶＤと記録可能なＤＶＤという二つの光ディスクの種類を分別する値、例えば、再生専用のＤＶＤに対応する第２種類情報９又は８８の値を「００ｂ」とし、記録可能なＤＶＤ（すなわち、ＤＶＤ−Ｒ、ＤＶＤ−ＲＷ又はＤＶＤ−ＲＡＭの何れか）に対応する第２種類情報９又は８８の値を「０１ｂ」と設定するようにしても良い。
【０１８５】
この場合、第１種類情報１４５の値が再生専用のＤＶＤであることを示す「００００ｂ」であり、第２種類情報９又は８８の値が記録可能なＤＶＤであることを示す「０ｌｂ」である時、その光ディスクは再生専用のＤＶＤから記録可能なＤＶＤに違法に記録情報の複写が行われて形成された可能性が高いとして、係る光ディスクの再生を停止し外部に排出するように構成することとなる。
【０１８６】
一方、第１種類情報１４５の値が再生専用のＤＶＤであることを示す「００００ｂ」であり、第２種類情報９又は８８の値も再生専用のＤＶＤであることを示す「００ｂ」である時、又は、第１種類情報１４５の値が記録可能なＤＶＤであることを示す「０００１ｂ」、「００１０ｂ」又は「００１１ｂ」の何れかであり、第２種類情報９又は８８の値もまた記録可能なＤＶＤであることを示す「０１ｂ」の時、その光ディスクに記録された記録情報は不正なものではないとしてその再生を行うように構成する。
【０１８７】
次に、上述した変形形態に係る情報記録再生装置の動作について、より詳細に説明する。なお、変形形態に係る情報記録再生装置の構成そのものは上記した実施形態の情報記録再生装置Ｓと全く同様であるので、以下の説明では省略する。
【０１８８】
先ず、以下に説明する変形形態の情報記録再生装置の動作については、上述した実施形態の情報記録再生装置Ｓが適用されたＤＶＤ−Ｒ１Ｒとは異なる構成を有するＤＶＤ−Ｒを用いて説明するので、初めに、当該異なる構成を有するＤＶＤ−Ｒについて図１１を用いて説明する。なお、図１１は変形形態に係るＤＶＤ−Ｒの平面外観図及び記録情報の記録が完了した物理的記録フォーマットを示す図である。
【０１８９】
図１１に示すように、変形形態に係るＤＶＤ−Ｒ１Ｒ’は、上述した実施形態におけるＤＶＤ−Ｒ１Ｒと同様の非記録領域１１０、ビーム強度テスト領域１１１、管理データ領域１１２、リードインエリアＬＩＡ、ファイルシステム情報領域ＦＳ、データ領域ＤＡ、リードアウトエリアＬＯＡ及び終端領域ＥＡを備えているが、このうちのデータ領域ＤＡに記録されている記録情報が、情報単位としてのセクタ情報ＳＴが複数連続することにより構成されている。
【０１９０】
そして、一のセクタ情報ＳＴは、その先頭アドレスから、当該セクタ情報ＳＴ自体を記録情報内で識別するための識別情報ＩＤと、記録情報の再生時において当該識別情報ＩＤの検出エラーを訂正するためのエラー訂正情報ＩＥＤと、セクタ情報ＳＴ内に含まれている情報が有する特性を示す特性情報ＣＰと、当該セクタ情報ＳＴ内に含まれている情報そのものであるメイン情報ＭＤと、記録情報の再生時においてセクタ情報ＳＴ全体の検出エラーを検出するためのエラー検出情報ＥＤＣと、により構成されている。
【０１９１】
このとき、上記特性情報ＣＰの構成については、ＤＶＤ−Ｒ１Ｒ’が一般に流通すべきＤＶＤ−Ｒ１Ｒ’（以下、当該ＤＶＤ−Ｒ１Ｒ’を単にＧ(General)型ＤＶＤ−Ｒと称する）であるときは、当該特性情報ＣＰは、図１１（ａ）に示すように、そのアドレス構成上、当該Ｇ型ＤＶＤ−Ｒに記録されている記録情報が主として画像情報により構成されているビデオ情報であるか否かを示す種別情報ＡＤＰが、何ら有意な情報を含まない二つの予備情報Ｒによって挟まれた構成を有している（以下、図１１（ａ）に示す特性情報ＣＰの構成を第２フォーマットと称する）。
【０１９２】
これに対し、ＤＶＤ−Ｒ１Ｒ’が、再生専用のＤＶＤの製造におけるテスト用として記録情報の製作者にのみ用いられるべきＤＶＤ−Ｒ１Ｒ’（以下、当該ＤＶＤ−Ｒ１Ｒ’を単にＡ(Authoring)型ＤＶＤ−Ｒと称する）であるときは、当該特性情報ＣＰは、図１１（ｂ）に示すように、そのアドレス構成上、先頭に著作権情報（すなわち、当該Ａ型ＤＶＤ−Ｒに記録されている記録情報の複写可能回数や再生制限状態等を示す著作権情報）ＣＣＩを含んで構成されており、当該著作権情報ＣＣＩ以外の特性情報ＣＰ内は何ら有意な情報を含まない予備情報Ｒとされている（以下、図１１（ｂ）に示す特性情報ＣＰの構成を第１フォーマットと称する）。
【０１９３】
なお、上記した特性情報ＣＰについては、上記Ｇ型ＤＶＤ−Ｒ以外に、ＤＶＤ−ＲＷ及びＤＶＤ−ＲＡＭに記録されている記録情報内の特性情報ＣＰの構成が上記第２フォーマットとされており、一方、上記Ａ型ＤＶＤ−Ｒ以外に、再生専用のＤＶＤに記録されている記録情報内の特性情報ＣＰの構成が上記第１フォーマットとされている。また、上記種別情報ＡＤＰの内容として具体的には、その種別情報ＡＤＰが記録されているＤＶＤに記録されている記録情報がビデオ情報であるときは「０１ｂ」とされ、一方、その記録情報がビデオ情報でないもの（例えば、電子計算機用のデータ）であるときは「００ｂ」とされる。
【０１９４】
次に、上述した構成を有するＤＶＤ−Ｒ１Ｒ’を用いて、変形形態の情報記録再生装置の動作について説明する。
【０１９５】
（ｉ）記録処理の変形形態
始めに、変形形態に係る情報記録再生装置における記録情報の記録処理について、具体的に図１２を用いて説明する。なお、以下に説明する記録処理は、変形形態に係る情報記録再生装置に対して記録可能なＤＶＤ（上記ＤＶＤ−Ｒ１Ｒ’及びＤＶＤ−ＲＡＭを含むいずれかの記録可能なＤＶＤ）が装填されて実行される正規の（不法でない）記録処理である。
【０１９６】
また、図１２は当該記録処理を示すフローチャートであり、上記図8において説明した実施形態に係る情報記録再生装置Ｓにおける記録処理と同様の動作については同様のステップ番号を付して細部の説明は省略する。
【０１９７】
図１２に示すように、変形形態の記録処理においては、上記ＤＶＤ−Ｒ１Ｒ’等が装填され、記録処理を開始する旨の指示が操作部１３３において実行されると、先ず、実施形態の場合と同様に、当該装填されたＤＶＤ−Ｒ１Ｒ’等に既に記録されている第１種類情報１４５が検出される（ステップＳ１）。
【０１９８】
次に、検出した第１種類情報１４５の内容を確認し（ステップＳ５０）、その値が、装填されているＤＶＤがＤＶＤ−ＲＷであることを示す「００１１ｂ」であるか、又はＤＶＤ−ＲＡＭであることを示す「０００１ｂ」であるときは（ステップＳ５０；ＹＥＳ）、第２種類情報９（ＶＭＧＩ４内に含まれる第２種類情報）及び８８（ＤＳＩデータ５１内に含まれる第２種類情報）を夫々「０１ｂ」としてナビゲーション情報生成器１２６内で設定し（ステップＳ５４）、更に特性情報ＣＰの内容を上記第２フォーマットとして設定すると共に種別情報ＡＤＰを「０１ｂ」としてナビゲーション情報生成器１２６内で設定して（ステップＳ５５）実施形態の場合と同様にして記録情報の記録を開始する（ステップＳ４）。
【０１９９】
一方、上記ステップＳ５０の判定において、第１種類情報１４５の内容が「００１１ｂ」でも「０００１ｂ」でもないときは（ステップＳ５０；ＮＯ）、次に、当該第１種類情報１４５の内容が、装填されているＤＶＤがＤＶＤ−Ｒ１Ｒ’であることを示す「００１０ｂ」であるか否かを確認する（ステップＳ２）。そして、当該内容が「００１０ｂ」であるときは（ステップＳ２；ＹＥＳ）、次に、そのＤＶＤ−Ｒ１Ｒ’が上記Ａ型ＤＶＤ−Ｒであるか否かを確認し（ステップＳ５１）、Ａ型ＤＶＤ−Ｒでないときは（ステップＳ５１）そのまま上記ステップＳ５４及びＳ５５へ移行する。
【０２００】
他方、ステップＳ５１の判定において、装填されているＤＶＤ―Ｒ１Ｒ’がＡ型ＤＶＤ−Ｒであるときは（ステップＳ５１；ＹＥＳ）、第２種類情報９及び８８を夫々「００ｂ」としてナビゲーション情報生成器１２６内で設定し（ステップＳ５２）、更に特性情報ＣＰの内容を上記第１フォーマットとしてナビゲーション情報生成器１２６内で設定して（ステップＳ５３）記録情報の記録を開始する（ステップＳ４）。
【０２０１】
なお、図１２ステップＳ５２において、現在変形形態の情報記録再生装置内に装填されているのがＡ型ＤＶＤ−Ｒであるにも拘わらず、本来再生専用のＤＶＤを示す値である「００ｂ」を第２種類情報９及び８８の値として用いるのは、当該Ａ型ＤＶＤ−Ｒが一般需要者に流通するものではなく再生専用のＤＶＤを製造する際のテスト用としてのみ用いられるものであり、よって当該テスト用としては再生専用のＤＶＤとしてのみ機能すればよいとされていることによるものである。
【０２０２】
そして、操作部１３３において記録処理を停止する旨の操作が為されたか否かが確認され（ステップＳ５）、為されていないときは（ステップＳ５；ＮＯ）ステップＳ４に戻って記録処理を継続し、一方、停止操作が為されたときは（ステップＳ５；ＹＥＳ）、その時点で記録処理を停止して（ステップＳ６）、一連の記録処理を終了する。
【０２０３】
他方、ステップＳ２の判定において、検出した第１種類情報１４５の内容が「００１０ｂ」でないときは（ステップＳ２；ＮＯ）、結局第１種類情報１４５の内容が「０００１ｂ」、「００１０ｂ」又は「００１１ｂ」のいずれでもないこととなるので、その場合は現在装填されているＤＶＤが再生専用のＤＶＤ（すなわち、第１種類情報１４５の内容が「００００ｂ」であるＤＶＤ）であることとなるため直ちに記録処理を停止する。
【０２０４】
なお、上記した不法な記録処理においては、図１２におけるステップＳ５２及びＳ５４の処理が実行されないこととなるので、結果として、当該不法な記録処理が為された光ディスクにおいては、上記実施形態の場合と同様に、第１種類情報１４５の内容と第２種類情報９及び８８の内容とが相違しているか、又は第２種類情報９及び８８が全く記録されないこととなる。
【０２０５】
（ii）再生処理の実施形態
次に、図１２に示す記録処理により記録情報が記録されたＤＶＤ−Ｒ１Ｒ’等内の当該記録情報を再生する変形形態に係る再生処理について、具体的に図１３及び図１４を用いて説明する。
【０２０６】
（Ａ）ローディング処理の変形形態
始めに、記録情報の再生時においてＤＶＤ−Ｒ１Ｒ’等が変形形態の情報記録再生装置内に装填される際の処理について図１３を用いて説明する。
【０２０７】
なお、図１３は当該ローディング処理を示すフローチャートであり、上記図９において説明した実施形態に係る情報記録再生装置Ｓにおけるローディング処理と同様の動作については同様のステップ番号を付して細部の説明は省略する。
【０２０８】
図１３に示すように、変形形態のローディング処理においては、始めに、図９において説明した実施形態に係るローディング処理のうちのローディング処理（ステップＳ１０）から第１種類情報１４５の内容の確認処理（ステップＳ１６）までが実行される。
【０２０９】
次に、ステップＳ１６の判定において、第１種類情報１４５の内容が「００００ｂ」であるときは（ステップＳ１６；ＹＥＳ）、現在装填されているＤＶＤが再生専用のＤＶＤであることとなるので、次に、当該再生専用のＤＶＤに記録されている記録情報内のセクタ情報ＳＴから上記特性情報ＣＰを抽出し、それに含まれている上記種別情報ＡＤＰの内容が「０１ｂ」であるか否かを確認する（ステップＳ６０）。
【０２１０】
そして、確認した種別情報ＡＤＰの内容が「０１ｂ」であるときは（ステップＳ６０；ＹＥＳ）、元々種別情報ＡＤＰが再生専用のＤＶＤ及びＡ型ＤＶＤ−Ｒでは定義付けられていないことから（図１１参照）、ステップＳ１６において確認された第1種類情報１４５の内容が「００００ｂ」であり且つその種別情報ＡＤＰが「０１ｂ」であることは本来あり得ないので、この場合は何らかの不正な処理がなされた光ディスクが現在装填されている可能性があるとして直ちにその光ディスクを情報記録再生装置外に排出し（ステップＳ２２）、ローディング処理を含む再生処理を終了する。
【０２１１】
一方、ステップＳ６０の判定において、確認した種別情報ＡＤＰの内容が「０１ｂ」でないときは（ステップＳ６０；ＮＯ）、この場合は正規の再生専用のＤＶＤが現在装填されているとして、次に、ＶＭＧＩ４中の上記第２種類情報９が「００ｂ」であるか否かが判定される（ステップＳ１７）。
【０２１２】
これにより、第２種類情報９が「００ｂ」であるときは（ステップＳ１７；ＹＥＳ）、現在正規の再生専用のＤＶＤが情報記録再生装置Ｓ内に装填されているとしてローディング処理を終了して次の再生処理に移行する。
【０２１３】
一方、ステップＳ１７の判定において、第２種類情報９が「００ｂ」でないときは（ステップＳ１７；ＮＯ）、現在装填されている光ディスクにおいて第１種類情報１４５により示される光ディスクの種類と第２種類情報９により示される光ディスクの種類とが相違しており、この光ディスクが違法に記録情報の複写が行われて形成された光ディスクである可能性が高いとして、直ちにその光ディスクを情報記録再生装置外に排出し（ステップＳ２２）、ローディング処理を含む再生処理を終了する。
【０２１４】
他方、ステップＳ１６の判定において、検出された第１種類情報１４５の内容が「００００ｂ」でないときは（ステップＳ１６；ＮＯ）、次に、その値がＤＶＤ−ＲＷであることを示す「００１１ｂ」であるか又はＤＶＤ−ＲＡＭであることを示す「０００１ｂ」であるか否かが確認される（ステップＳ６１）。
【０２１５】
そして、ステップＳ６１の判定において、第１種類情報１４５の内容が「０００１ｂ」又は「００１１ｂ」でないときは（ステップＳ６１；ＮＯ）、次に、その値がＤＶＤ−Ｒ１Ｒ’であることを示す「００１０ｂ」であるか否かが確認される（ステップＳ６２）。
【０２１６】
そして、第１種類情報１４５の内容が「００１０ｂ」であるときは（ステップＳ６２；ＹＥＳ）、次に、現在装填されているＤＶＤ−Ｒ１Ｒ’がＧ型ＤＶＤ−Ｒであるか否かが確認される（ステップＳ６３）。
【０２１７】
また、第１種類情報１４５の内容が「００１０ｂ」でもないときは（ステップＳ６２；ＮＯ）、現在装填されているＤＶＤが正規の種類のいずれにも属さないＤＶＤであることとなるので、この場合は当該光ディスクが出所不明の光ディスクであるとして直ちにその光ディスクを情報記録再生装置外に排出し（ステップＳ２２）、ローディング処理を含む再生処理を終了する。
【０２１８】
次に、ステップＳ６３の判定において、現在装填されているＤＶＤ−Ｒ１Ｒ’がＧ型ＤＶＤ−Ｒでないときは（ステップＳ６３；ＮＯ）、更に当該ＤＶＤ−Ｒ１Ｒ’がＡ型ＤＶＤ−Ｒであるか否かが確認される（ステップＳ６４）。
【０２１９】
そして、当該装填されているＤＶＤ−Ｒ１Ｒ’がＡ型ＤＶＤ−Ｒでもないときは（ステップＳ６４；ＮＯ）、第１種類情報１４５によれば現在装填されているＤＶＤがＤＶＤ−Ｒ１Ｒ’であると判定されるにも拘わらずそれがＧ型ＤＶＤ−ＲでもＡ型ＤＶＤ‐Ｒでもないこととなるので、この場合は当該光ディスクが違法に記録情報の複写が行われて形成された光ディスクである可能性が高いとして、直ちにその光ディスクを情報記録再生装置外に排出し（ステップＳ２２）、ローディング処理を含む再生処理を終了する。
【０２２０】
一方、ステップＳ６４の判定において、現在装填されているＤＶＤがＡ型ＤＶＤ‐Ｒであるときは（ステップＳ６４；ＹＥＳ）、次に、当該Ａ型ＤＶＤ−Ｒに記録されている記録情報に対して暗号化処理が為されているか否かが確認される（ステップＳ６５）。そして、暗号化されているときは（ステップＳ６５；ＹＥＳ）その記録情報が著作権法上保護されており、再生されるべきものではないとして直ちにそのＤＶＤ―Ｒ１Ｒ’を情報記録再生装置外に排出して（ステップＳ２２）ローディング処理を含む再生処理を終了し、一方、暗号化されていないときは（ステップＳ６５；ＮＯ）、次に、当該装填されているＡ型ＤＶＤ−Ｒに記録されている記録情報内のセクタ情報ＳＴから上記特性情報ＣＰを抽出し、それに含まれている上記種別情報ＡＤＰの内容が「０１ｂ」であるか否かを確認する（ステップＳ６６）。
【０２２１】
そして、確認した種別情報ＡＤＰの内容が「０１ｂ」であるときは（ステップＳ６６；ＹＥＳ）、上述したように種別情報ＡＤＰが再生専用のＤＶＤ及びＡ型ＤＶＤ−Ｒでは定義付けられていないことから（図１１参照）、ステップＳ６４において確認された内容がＡ型ＤＶＤ−Ｒであり且つその種別情報ＡＤＰが「０１ｂ」であることは本来あり得ないので、この場合は何らかの不正な処理がなされたＤＶＤ−Ｒが現在装填されている可能性があるとして直ちにその光ディスクを情報記録再生装置外に排出し（ステップＳ２２）、ローディング処理を含む再生処理を終了する。
【０２２２】
一方、ステップＳ６６の判定において、確認した種別情報ＡＤＰの内容が「０１ｂ」でないときは（ステップＳ６６；ＮＯ）、この場合は正規のＡ型ＤＶＤ‐Ｒが現在装填されているとして、次に、ＶＭＧＩ４中の第２種類情報９が「００ｂ」であるか否かが判定される（ステップＳ１７）。
【０２２３】
これにより、第２種類情報９が「００ｂ」であるときは（ステップＳ１７；ＹＥＳ）、現在正規のＡ型ＤＶＤ−Ｒが情報記録再生装置内に装填されているとして次の再生処理に移行する。
【０２２４】
一方、ステップＳ１７の判定において、第２種類情報９が「００ｂ」でないときは（ステップＳ１７；ＮＯ）、現在装填されている光ディスクにおいて第１種類情報１４５により示されるＤＶＤの種類と第２種類情報９により示される光ディスクの種類とが相違しているため、このＤＶＤが違法に記録情報の複写が行われて形成された光ディスクである可能性が高いとして、直ちにその光ディスクを情報記録再生装置外に排出し（ステップＳ２２）、ローディング処理を含む再生処理を終了する。
【０２２５】
なお、図１３に示すステップＳ１７において、現在変形形態の情報記録再生装置内に装填され判断と対象となっているのがＡ型ＤＶＤ−Ｒであるにも拘わらず図９（本来再生専用のＤＶＤを対象としている）に示すステップＳ１７と同じ判断をしているのは、当該Ａ型ＤＶＤ‐Ｒは上述したように一般需要者に流通するものではなく再生専用のＤＶＤを製造する際のテスト用としてのみ用いられるものであり、よって当該テスト用としては再生専用のＤＶＤとしてのみ機能すればよいとされていることによるものである。
【０２２６】
他方、上記ステップＳ６１の判定において、第１種類情報１４５の内容が「０００１ｂ」又は「００１１ｂ」のいずれかである（ステップＳ６１；ＹＥＳ）か、又は上記ステップＳ６３の判定において現在装填されているＤＶＤ−Ｒ１Ｒ’がＧ型ＤＶＤ−Ｒであると確認されたときは（ステップＳ６３；ＹＥＳ）、次に、夫々のＤＶＤに記録されている記録情報に対して暗号化処理が為されているか否かが確認される（ステップＳ６７）。そして、暗号化されているときは（ステップＳ６７；ＹＥＳ）その記録情報が著作権法上保護されており、再生されるべきものではないとして直ちにその光ディスクを情報記録再生装置外に排出して（ステップＳ２２）ローディング処理を含む再生処理を終了し、一方、暗号化されていないときは（ステップＳ６７；ＮＯ）、次に、当該装填されているＤＶＤに記録されている記録情報内のセクタ情報ＳＴから上記特性情報ＣＰを抽出し、それに含まれている上記種別情報ＡＤＰの内容が「０１ｂ」であるか否かを確認する（ステップＳ６８）。
【０２２７】
そして、確認した種別情報ＡＤＰの内容が「０１ｂ」でないときは（ステップＳ６８；ＮＯ）、上述したように種別情報ＡＤＰがＤＶＤ−ＲＷ、ＤＶＤ−ＲＡＭ又はＧ型ＤＶＤ−Ｒにおいてビデオ情報を記録する場合にのみ定義付けられていることから（図１１参照）、ステップＳ６１又はＳ６３において確認された内容とステップＳ６８において確認した内容とが一致しないこととなり、この場合は何らかの不正な処理がなされた光ディスクが現在装填されている可能性があるとして直ちにその光ディスクを情報記録再生装置外に排出し（ステップＳ２２）、ローディング処理を含む再生処理を終了する。
【０２２８】
一方、確認した種別情報ＡＤＰの内容が「０１ｂ」であるときは（ステップＳ６８；ＹＥＳ）、ステップＳ６１又はＳ６３において確認された内容が正規なＤＶＤ−ＲＷ、ＤＶＤ−ＲＡＭ又はＤＶＤ−Ｒとして適切であることとなるので、次に、上記第２種類情報９が「０１ｂ」であるか否かが判定される（ステップＳ６９）。
【０２２９】
これにより、第２種類情報９が「０１ｂ」であるときは（ステップＳ６９；ＹＥＳ）、現在正規に記録情報の再生が可能とされているＧ型ＤＶＤ−Ｒ、ＤＶＤ‐ＲＷ又はＤＶＤ−ＲＡＭのいずれかが情報記録再生装置内に装填されているとして次の再生処理に移行する。
【０２３０】
一方、ステップＳ６９の判定において、第２種類情報９が「０１ｂ」でないときは（ステップＳ６９；ＮＯ）、現在装填されている光ディスクにおいて第１種類情報１４５により示される光ディスクの種類と第２種類情報９により示される光ディスクの種類とが相違しており、この光ディスクが違法に記録情報の複写が行われて形成されたＤＶＤである可能性が高いとして、直ちにその光ディスクを情報記録再生装置外に排出し（ステップＳ２２）、ローディング処理を含む再生処理を終了する。
【０２３１】
（Ｂ）再生処理の変形形態
最後に、上述したローディング処理に引き続いて実行される変形形態に係る再生処理について、図１４を用いて説明する。
【０２３２】
なお、図１４は当該再生処理を示すフローチャートであり、上記図１０において説明した実施形態に係る情報記録再生装置Ｓにおける再生処理と同様の動作については同様のステップ番号を付して細部の説明は省略する。
【０２３３】
図１４に示すように、変形形態の再生処理においては、始めに、図１０において説明した実施形態に係る再生処理のうちの初期確認処理（ステップＳ２５）から再生開始処理（ステップＳ２７）までが実行される。
【０２３４】
そして、再生が開始されると、次に、ステップＳ２６において確認された再生専用のＤＶＤに記録されている記録情報内のセクタ情報ＳＴから上記特性情報ＣＰを抽出し、それに含まれている上記種別情報ＡＤＰの内容が「０１ｂ」であるか否かを確認する（ステップＳ７５）。
【０２３５】
そして、確認した種別情報ＡＤＰの内容が「０１ｂ」であるときは（ステップＳ７５；ＹＥＳ）、上述したように種別情報ＡＤＰが再生専用のＤＶＤ及びＡ型ＤＶＤ−Ｒでは定義付けられていないことから（図１１参照）、ステップＳ２６において確認された第1種類情報１４５の内容が「００００ｂ」であり且つその種別情報ＡＤＰが「０１ｂ」であることは本来あり得ないので、この場合は何らかの不正な処理がなされた光ディスクが現在装填されている可能性があるとして直ちにその光ディスクに対する再生処理を停止する（ステップＳ３１）と共にその光ディスクを情報記録再生装置外に排出し（ステップＳ３２）、再生処理を終了する。
【０２３６】
一方、ステップＳ７５の判定において、確認した種別情報ＡＤＰの内容が「０１ｂ」でないときは（ステップＳ７５；ＮＯ）、この場合は正規の再生専用のＤＶＤが現在装填されているとして、次に、ＤＳＩデータ５１内の上記第２種類情報８８が「００ｂ」であるか否かが判定される（ステップＳ２８）。
【０２３７】
これにより、第２種類情報８８が「００ｂ」であるときは（ステップＳ２８；ＹＥＳ）、現在正規の再生専用のＤＶＤが情報記録再生装置内に装填されているとして再生処理を継続し、次に、再生処理を停止する旨の操作が操作部１３３において実行されたか否かが確認される（ステップＳ２９）。
【０２３８】
そして、停止操作が実行されていないときは（ステップＳ２９；ＮＯ）再生処理を継続すべくステップＳ２７に戻ると共に再生継続に伴って逐次得られる各ＤＳＩデータ５１中の第２種類情報８８の値の確認を行い、一方、停止操作が実行されているときは（ステップＳ２９；ＹＥＳ）そのまま再生処理を停止し（ステップＳ３０）、一連の再生処理を終了する。
【０２３９】
他方、ステップＳ２８の判定において、第２種類情報８８が「００ｂ」でないときは（ステップＳ２８；ＮＯ）、現在装填されている光ディスクにおいて第１種類情報１４５により示される光ディスクの種類と第２種類情報８８により示される光ディスクの種類とが相違しており、このＤＶＤが違法に記録情報の複写が行われて形成された光ディスクである可能性が高いとして、直ちにその光ディスクに対する再生処理を停止する（ステップＳ３１）と共にその光ディスクを情報記録再生装置外に排出し（ステップＳ３２）、再生処理を終了する。
【０２４０】
一方、ステップＳ２６の判定において、検出された第１種類情報１４５の内容が「００００ｂ」でないときは（ステップＳ２６；ＮＯ）、次に、その値がＤＶＤ−ＲＷであることを示す「００１１ｂ」であるか又はＤＶＤ−ＲＡＭであることを示す「０００１ｂ」であるか否かが確認される（ステップＳ７６）。
【０２４１】
そして、ステップＳ７６の判定において、第１種類情報１４５の内容が「０００１ｂ」又は「００１１ｂ」でないときは（ステップＳ７６；ＮＯ）、次に、その値がＤＶＤ−Ｒ１Ｒ’であることを示す「００１０ｂ」であるか否かが確認される（ステップＳ７７）。
【０２４２】
そして、第１種類情報１４５の内容が「００１０ｂ」であるときは（ステップＳ７７；ＹＥＳ）、次に、現在装填されているＤＶＤ−Ｒ１Ｒ’がＧ型ＤＶＤ−Ｒであるか否かが確認される（ステップＳ７８）。
【０２４３】
また、第１種類情報１４５の内容が「００１０ｂ」でもないときは（ステップＳ７７；ＮＯ）、現在装填されているＤＶＤが正規の種類のいずれにも属さないＤＶＤであることとなるので、この場合は当該光ディスクが出所不明の光ディスクであるとして直ちにその光ディスクに対する再生処理を停止する（ステップＳ３１）と共にその光ディスクを情報記録再生装置外に排出し（ステップＳ３２）、再生処理を終了する。
【０２４４】
次に、ステップＳ７８の判定において、現在装填されているＤＶＤ−Ｒ１Ｒ’がＧ型ＤＶＤ−Ｒでないときは（ステップＳ７８；ＮＯ）、更に当該ＤＶＤ−Ｒ１Ｒ’がＡ型ＤＶＤ−Ｒであるか否かが確認される（ステップＳ７９）。
【０２４５】
そして、当該装填されているＤＶＤ−Ｒ１Ｒ’がＡ型ＤＶＤ−Ｒでもないときは（ステップＳ７９；ＮＯ）、第１種類情報１４５によれば現在装填されているＤＶＤがＤＶＤ−Ｒ１Ｒ’であると判定されるにも拘わらずそれがＧ型ＤＶＤ−ＲでもＡ型ＤＶＤ−Ｒでもないこととなるので、この場合は当該光ディスクが違法に記録情報の複写が行われて形成された光ディスクである可能性が高いとして直ちにその光ディスクに対する再生処理を停止する（ステップＳ３１）と共にその光ディスクを情報記録再生装置外に排出し（ステップＳ３２）、再生処理を終了する。
【０２４６】
一方、ステップＳ７９の判定において、現在装填されているＤＶＤがＡ型ＤＶＤ‐Ｒであるときは（ステップＳ７９；ＹＥＳ）、次に、それに記録されている記録情報の再生（Ａ型ＤＶＤ−Ｒからの検出）を開始し（ステップＳ３４）、更に、当該Ａ型ＤＶＤ−Ｒに記録されている記録情報に対して暗号化処理が為されているか否かが確認される（ステップＳ８０）。そして、暗号化されているときは（ステップＳ８０；ＹＥＳ）その記録情報が著作権法上保護されており、再生されるべきものではないとして直ちにそのＤＶＤ−Ｒ１Ｒ’に対する再生処理を停止する（ステップＳ３１）と共にそのＤＶＤ−Ｒ１Ｒ’を情報記録再生装置外に排出して（ステップＳ３２）再生処理を終了し、一方、暗号化されていないときは（ステップＳ８０；ＮＯ）、次に、当該装填されているＡ型ＤＶＤ−Ｒに記録されている記録情報内のセクタ情報ＳＴから上記特性情報ＣＰを抽出し、それに含まれている上記種別情報ＡＤＰの内容が「０１ｂ」であるか否かを確認する（ステップＳ８１）。
【０２４７】
そして、確認した種別情報ＡＤＰの内容が「０１ｂ」であるときは（ステップＳ８１；ＹＥＳ）、上述したように種別情報ＡＤＰが再生専用のＤＶＤ及びＡ型ＤＶＤ−Ｒでは定義付けられていないことから（図１１参照）、ステップＳ７９において確認された内容がＡ型ＤＶＤ−Ｒであり且つその種別情報ＡＤＰが「０１ｂ」であることは本来あり得ないので、この場合は何らかの不正な処理がなされたＤＶＤ−Ｒが現在装填されている可能性があるとして直ちにその光ディスクに対する再生処理を停止する（ステップＳ３１）と共にその光ディスクを情報記録再生装置Ｓ外に排出し（ステップＳ３２）、再生処理を終了する。
【０２４８】
一方、ステップＳ８１の判定において、確認した種別情報ＡＤＰの内容が「０１ｂ」でないときは（ステップＳ８１；ＮＯ）、この場合は正規のＡ型ＤＶＤ−Ｒが現在装填されているとして、次に、ＤＳＩデータ５１中の第２種類情報８８が「００ｂ」であるか否かが判定される（ステップＳ８２）。
【０２４９】
これにより、第２種類情報８８が「００ｂ」であるときは（ステップＳ８２；ＹＥＳ）、現在正規のＡ型ＤＶＤ−Ｒが情報記録再生装置内に装填されているとして再生処理を継続し、次に、再生処理を停止する旨の操作が操作部１３３において実行されたか否かが確認される（ステップＳ３６）。
【０２５０】
そして、停止操作が実行されていないときは（ステップＳ３６；ＮＯ）再生処理を継続すべくステップＳ３４に戻ると共に再生継続に伴って逐次得られる各ＤＳＩデータ５１中の第２種類情報８８の値の確認を行い、一方、停止操作が実行されているときは（ステップＳ３６；ＹＥＳ）そのまま再生処理を停止し（ステップＳ３０）、一連の再生処理を終了する。
【０２５１】
他方、ステップＳ８２の判定において、第２種類情報８８が「００ｂ」でないときは（ステップＳ８２；ＮＯ）、現在装填されている光ディスクにおいて第１種類情報１４５により示される光ディスクの種類と第２種類情報８８により示される光ディスクの種類とが相違しておらず、この光ディスクが違法に記録情報の複写が行われて形成された光ディスクである可能性が高いとして、直ちにその光ディスクに対する再生処理を停止する（ステップＳ３１）と共にその光ディスクを情報記録再生装置外に排出し（ステップＳ３２）、再生処理を終了する。
【０２５２】
なお、図１４に示すステップＳ８２において、現在装填され判断と対象となっているのがＡ型ＤＶＤ‐Ｒであるにも拘わらず図９に示すステップＳ１７と同様の判断をしているのは、上述した図１３ステップＳ１７の場合と同様である。
【０２５３】
他方、上記ステップＳ７６の判定において、第１種類情報１４５の内容が「０００１ｂ」又は「００１１ｂ」のいずれかである（ステップＳ７６；ＹＥＳ）か、又は上記ステップＳ７８の判定において現在装填されているＤＶＤ−Ｒ１Ｒ’がＧ型ＤＶＤ−Ｒであると確認されたときは（ステップＳ７８；ＹＥＳ）、次に、それに記録されている記録情報の再生（ＤＶＤからの検出）を開始し（ステップＳ３４）、更に、夫々のＤＶＤに記録されている記録情報に対して暗号化処理が為されているか否かが確認される（ステップＳ８３）。そして、暗号化されているときは（ステップＳ８３；ＹＥＳ）その記録情報が著作権法上保護されており、再生されるべきものではないとして直ちにそのＤＶＤに対する再生処理を停止する（ステップＳ３１）と共にそのＤＶＤを情報記録再生装置外に排出して（ステップＳ３２）再生処理を終了し、一方、暗号化されていないときは（ステップＳ８３；ＮＯ）、次に、当該装填されているＤＶＤに記録されている記録情報内のセクタ情報ＳＴから上記特性情報ＣＰを抽出し、それに含まれている上記種別情報ＡＤＰの内容が「０１ｂ」であるか否かを確認する（ステップＳ８４）。
【０２５４】
そして、確認した種別情報ＡＤＰの内容が「０１ｂ」でないときは（ステップＳ８４；ＮＯ）、上述したように種別情報ＡＤＰがＤＶＤ−ＲＷ、ＤＶＤ−ＲＡＭ又はＧ型ＤＶＤ−Ｒにおいてのみ定義付けられていることから（図１１参照）、ステップＳ７６又はＳ７８において確認された内容とステップＳ８４において確認した内容とが一致しないこととなり、この場合は何らかの不正な処理がなされた光ディスクが現在装填されている可能性があるとして直ちにそのＤＶＤに対する再生処理を停止する（ステップＳ３１）と共にそのＤＶＤを情報記録再生装置外に排出して（ステップＳ３２）再生処理を終了する。
【０２５５】
一方、確認した種別情報ＡＤＰの内容が「０１ｂ」であるときは（ステップＳ８４；ＹＥＳ）、ステップＳ７６又はＳ７８において確認された内容が正規なＤＶＤ−ＲＷ、ＤＶＤ−ＲＡＭ又はＤＶＤ−Ｒとして適切であることとなるので、次に、上記第２種類情報８８が「０１ｂ」であるか否かが判定される（ステップＳ８５）。
【０２５６】
これにより、第２種類情報８８が「０１ｂ」であるときは（ステップＳ８５；ＹＥＳ）、現在正規に記録情報の再生が可能とされているＧ型ＤＶＤ−Ｒ、ＤＶＤ‐ＲＷ又はＤＶＤ−ＲＡＭのいずれかが情報記録再生装置内に装填されているとして再生処理を継続し、次に、再生処理を停止する旨の操作が操作部１３３において実行されたか否かが確認される（ステップＳ４０）。
【０２５７】
そして、停止操作が実行されていないときは（ステップＳ４０；ＮＯ）再生処理を継続すべくステップＳ３８に戻ると共に再生継続に伴って逐次得られる各ＤＳＩデータ５１中の第２種類情報８８の値の確認を行い、一方、停止操作が実行されているときは（ステップＳ４０；ＹＥＳ）そのまま再生処理を停止し（ステップＳ３０）、一連の再生処理を終了する。
【０２５８】
一方、ステップＳ８５の判定において、第２種類情報８８が「０１ｂ」でないときは（ステップＳ８５；ＮＯ）、現在装填されている光ディスクにおいて第１種類情報１４５により示される光ディスクの種類と第２種類情報８８により示される光ディスクの種類とが相違しており、この光ディスクが違法に記録情報の複写が行われて形成されたＤＶＤである可能性が高いとして直ちにそのＤＶＤに対する再生処理を停止する（ステップＳ３１）と共にそのＤＶＤを情報記録再生装置外に排出して（ステップＳ３２）再生処理を終了する。
【０２５９】
以上説明したように、変形形態の情報記録再生装置の動作によった場合でも、上述した実施形態の情報記録再生装置Ｓと同様の効果を得ることができる。
【０２６０】
なお、上述した実施形態及び変形形態においては、第１種類情報１４５と第２種類情報９及び８８とを相互に同一の内容を有するものとして説明したが、これ以外に、正規な情報記録再生装置のみが認識し得る予め設定された対応関係を有するように当該第１種類情報１４５並びに第２種類情報９及び８８を設定して記録するように構成することもできる。
【０２６１】
また、上述した実施形態及び変形形態においては、第２種類情報９をＶＭＧＩ４内に、第２種類情報８８をＤＳＩデータ５１内に夫々記録する場合について説明したが、更に改竄を困難とするため、例えば、予め設定されている複写制御情報（コピープロテクション情報）内の一部に当該第２種類情報を記録するように構成することもできる。
【０２６２】
更に、改竄が比較的容易にはなるものの、第２種類情報９又は８８のいずれか一方のみを記録し、当該一方の第２種類情報９又は８８により示される光ディスクの種類と第１種類情報１４５により示される光ディスクの種類とを比較して再生処理を制御するように構成することもできる。
【０２６３】
更にまた、上述した実施形態によれば、ローディング処理時において第１種類情報１４５により示される光ディスクの種類とＶＭＧＩ４中の第２種類情報９により示される光ディスクの種類とが相違するときには係る光ディスクを外部に排出する構成としたが、再生処理時においてこのような判定を行うように構成しても良い。
【０２６４】
また、違法に複写された光ディスクを外部に排出することなく、情報記録再生装置の表示パネルや外部接続されたディスプレイ等に警告表示を行うように構成しても良いことは勿論である。
【０２６５】
更に、本発明は上述した記録可能なＤＶＤの他に、記録可能なＣＤ等に対する不法複写防止処理に適用することもできる。
【０２６６】
更にまた、図８乃至図１０及び図１２乃至図１４に示したフローチャートに対応するプログラムを情報記録媒体としてのフレキシブルディスク又はハードディスク等に記録しておき又はインターネット等のネットワークを介して配布して記憶しておき、これをパーソナルコンピュータ等を用いて読み出して実行することにより、当該パーソナルコンピュータ等を上記システムコントローラ１２５として動作させることもできる。
【０２６７】
【発明の効果】
以上説明したように、請求項１に記載の発明によれば、予め記録されている第１種類情報に対して予め設定された対応関係を有する第２種類情報を当該第１種類情報が記録されている記録媒体に記録すると共に記録情報を当該記録媒体に記録するので、当該記録情報の再生時において第１種類情報と第２種類情報とが当該対応関係にあるときのみその再生を実行することで、第１種類情報と異なる第２種類情報が記録される不法な記録処理又は第２種類情報が記録されない不法な記録処理により記録された記録情報の再生を禁止することができる。
【０２６８】
従って、情報処理装置等により上記不法な記録処理が為されて記録された記録情報の再生を有効に禁止することで、私的な記録情報が記録されている記録媒体と違法に記録情報が複写された記録媒体とを峻別し、当該違法な複写が行われた記録媒体に記録されている当該記録情報が再生されることを防止して著作権法上の保護を実効有らしめることができる。
【０２６９】
請求項２に記載の発明によれば、請求項１に記載の発明の効果に加えて、第１種類情報と同一の内容を有する第２種類情報が、当該同一の内容を有する第１種類情報が予め記録されている記録媒体に記録されるので、記録情報の再生時において、簡易な処理で第１種類情報と第２種類情報との対応関係を判断して上記不法な記録処理により記録された記録情報の再生を禁止することができる。
【０２７０】
請求項３に記載の発明によれば、請求項１又は２に記載の発明の効果に加えて、全体管理情報内及び単位管理情報内の双方に第２種類情報が記録されるので、いずれか一方の管理情報内の第２種類情報が改竄されても、他方の第２種類情報を用いることで確実に上記不法な記録処理により記録された記録情報の再生を禁止することができる。
【０２７１】
請求項５に記載の発明によれば、検出された第１種類情報と検出された第２種類情報との関係が上記対応関係であるときのみ記録情報を再生するので、第１種類情報と異なる第２種類情報が記録される不法な記録処理又は第２種類情報が記録されない不法な記録処理により記録された記録情報の再生を禁止することができる。
【０２７２】
従って、情報処理装置等により上記不法な記録処理が為されて記録された記録情報の再生を有効に禁止することで、私的な記録情報が記録されている記録媒体と違法に記録情報が複写された記録媒体とを峻別し、当該違法な複写が行われた記録媒体に記録されている当該記録情報が再生されることを防止して著作権法上の保護を実効有らしめることができる。
【０２７３】
請求項６に記載の発明によれば、請求項５に記載の発明の効果に加えて、検出された第１種類情報と検出された第２種類情報との関係が上記対応関係でないとき、当該情報再生装置内に装填されている記録媒体を当該情報再生装置外に排出するので、より確実に上記不法な記録処理により記録された記録情報の再生を禁止することができる。
【０２７４】
請求項７に記載の発明によれば、第１種類情報が予め記録されている第１種情報記録領域と第２種類情報が記録される第２種類情報記録領域とを備えるので、記録情報の当該記録媒体への記録時において当該対応関係にある第２種類情報を第２種類情報記録領域内に記録すると共に当該記録情報の再生時において第１種類情報と第２種類情報とが当該対応関係にあるときのみその再生を実行することで、第１種類情報と異なる第２種類情報が記録される不法な記録処理又は第２種類情報が記録されない不法な記録処理により記録された記録情報の再生を禁止することができる。
【０２７５】
従って、情報処理装置等により上記不法な記録処理が為されて記録された記録情報の再生を有効に禁止することで、私的な記録情報が記録されている記録媒体と違法に記録情報が複写された記録媒体とを峻別し、当該違法な複写が行われた記録媒体に記録されている当該記録情報が再生されることを防止して著作権法上の保護を実効有らしめることができる。
【０２７６】
請求項８に記載の発明によれば、請求項７に記載の発明の効果に加えて、第２種類情報が、当該第２種類情報が記録される記録媒体に予め記録されている第１種類情報と同一の内容を有しているので、記録情報の再生時において、簡易な処理で第１種類情報と記録された第２種類情報との対応関係を判断して上記不法な記録処理により記録された記録情報の再生を禁止することができる。
【０２７７】
請求項９に記載の発明によれば、請求項７又は８に記載の発明の効果に加えて、全体管理情報記録領域内及び単位管理情報記録領域内の双方にある第２種類情報記録領域内に共に第２種類情報が記録されることで、いずれか一方の管理情報内の第２種類情報が改竄されても、他方の第２種類情報を用いることで確実に上記不法な記録処理により記録された記録情報の再生を禁止することができる。
【０２７８】
請求項１１に記載の発明は、予め記録されている第１種類情報に対して予め設定された対応関係を有する第２種類情報を当該第１種類情報が記録されている記録媒体に記録すると共に記録情報を当該記録媒体に記録するので、当該記録情報の再生時において第１種類情報と第２種類情報とが当該対応関係にあるときのみその再生を実行することで、第１種類情報と異なる第２種類情報が記録される不法な記録処理又は第２種類情報が記録されない不法な記録処理により記録された記録情報の再生を禁止することができる。
【０２７９】
従って、情報処理装置等により上記不法な記録処理が為されて記録された記録情報の再生を有効に禁止することで、私的な記録情報が記録されている記録媒体と違法に記録情報が複写された記録媒体とを峻別し、当該違法な複写が行われた記録媒体に記録されている当該記録情報が再生されることを防止して著作権法上の保護を実効有らしめることができる。
【０２８０】
請求項１３に記載の発明によれば、請求項１１に記載の発明の効果に加えて、全体管理情報内及び単位管理情報内の双方に第２種類情報が記録されるので、いずれか一方の管理情報内の第２種類情報が改竄されても、他方の第２種類情報を用いることで確実に上記不法な記録処理により記録された記録情報の再生を禁止することができる。
【０２８１】
請求項１５に記載の発明によれば、検出された第１種類情報と検出された第２種類情報との関係が上記対応関係であるときのみ記録情報を再生するので、第１種類情報と異なる第２種類情報が記録される不法な記録処理又は第２種類情報が記録されない不法な記録処理により記録された記録情報の再生を禁止することができる。
【０２８２】
従って、情報処理装置等により上記不法な記録処理が為されて記録された記録情報の再生を有効に禁止することで、私的な記録情報が記録されている記録媒体と違法に記録情報が複写された記録媒体とを峻別し、当該違法な複写が行われた記録媒体に記録されている当該記録情報が再生されることを防止して著作権法上の保護を実効有らしめることができる。
【０２８３】
請求項１６に記載の発明によれば、請求項１５に記載の発明の効果に加えて、検出された第１種類情報と検出された第２種類情報との関係が上記対応関係でないとき、当該装填されている記録媒体を外部に排出するので、より確実に上記不法な記録処理により記録された記録情報の再生を禁止することができる。
【０２８４】
請求項１７に記載の発明によれば、予め記録されている第１種類情報に対して予め設定された対応関係を有する第２種類情報を当該第１種類情報が記録されている記録媒体に記録すると共に記録情報を当該記録媒体に記録するように記録コンピュータを機能させるので、当該記録情報の再生時において第１種類情報と第２種類情報とが当該対応関係にあるときのみその再生を実行することで、第１種類情報と異なる第２種類情報が記録される不法な記録処理又は第２種類情報が記録されない不法な記録処理により記録された記録情報の再生を禁止することができる。
【０２８５】
従って、情報処理装置等により上記不法な記録処理が為されて記録された記録情報の再生を有効に禁止することで、私的な記録情報が記録されている記録媒体と違法に記録情報が複写された記録媒体とを峻別し、当該違法な複写が行われた記録媒体に記録されている当該記録情報が再生されることを防止して著作権法上の保護を実効有らしめることができる。
【０２８６】
請求項１８に記載の発明によれば、請求項１７に記載の発明の効果に加えて、全体管理情報内及び単位管理情報内の双方に第２種類情報が記録されるように記録コンピュータを機能させるので、いずれか一方の管理情報内の第２種類情報が改竄されても、他方の第２種類情報を用いることで確実に上記不法な記録処理により記録された記録情報の再生を禁止することができる。
【０２８７】
請求項１９に記載の発明によれば、検出された第１種類情報と検出された第２種類情報との関係が上記対応関係であるときのみ記録情報を再生するように再生コンピュータを機能させるので、第１種類情報と異なる第２種類情報が記録される不法な記録処理又は第２種類情報が記録されない不法な記録処理により記録された記録情報の再生を禁止することができる。
【０２８８】
従って、情報処理装置等により上記不法な記録処理が為されて記録された記録情報の再生を有効に禁止することで、私的な記録情報が記録されている記録媒体と違法に記録情報が複写された記録媒体とを峻別し、当該違法な複写が行われた記録媒体に記録されている当該記録情報が再生されることを防止して著作権法上の保護を実効有らしめることができる。
【０２８９】
請求項２０に記載の発明によれば、請求項１９に記載の発明の効果に加えて、検出された第１種類情報と検出された第２種類情報との関係が上記対応関係でないとき、当該情報再生装置内に装填されている記録媒体を当該情報再生装置外に排出するように再生コンピュータを機能させるので、より確実に上記不法な記録処理により記録された記録情報の再生を禁止することができる。
【０２９０】
請求項２１に記載の発明によれば、予め記録されている第１種類情報に対して予め設定された対応関係を有する第２種類情報を当該第１種類情報が記録されている記録媒体に記録すると共に記録情報を当該記録媒体に記録するように記録コンピュータを機能させるので、当該記録情報の再生時において第１種類情報と第２種類情報とが当該対応関係にあるときのみその再生を実行することで、第１種類情報と異なる第２種類情報が記録される不法な記録処理又は第２種類情報が記録されない不法な記録処理により記録された記録情報の再生を禁止することができる。
【０２９１】
従って、情報処理装置等により上記不法な記録処理が為されて記録された記録情報の再生を有効に禁止することで、私的な記録情報が記録されている記録媒体と違法に記録情報が複写された記録媒体とを峻別し、当該違法な複写が行われた記録媒体に記録されている当該記録情報が再生されることを防止して著作権法上の保護を実効有らしめることができる。
【０２９２】
請求項２２に記載の発明によれば、請求項２１に記載の発明の効果に加えて、全体管理情報内及び単位管理情報内の双方に第２種類情報が記録されるように記録コンピュータを機能させるので、いずれか一方の管理情報内の第２種類情報が改竄されても、他方の第２種類情報を用いることで確実に上記不法な記録処理により記録された記録情報の再生を禁止することができる。
【０２９３】
請求項２３に記載の発明によれば、検出された第１種類情報と検出された第２種類情報との関係が上記対応関係であるときのみ記録情報を再生するように再生コンピュータを機能させるので、第１種類情報と異なる第２種類情報が記録される不法な記録処理又は第２種類情報が記録されない不法な記録処理により記録された記録情報の再生を禁止することができる。
【０２９４】
従って、情報処理装置等により上記不法な記録処理が為されて記録された記録情報の再生を有効に禁止することで、私的な記録情報が記録されている記録媒体と違法に記録情報が複写された記録媒体とを峻別し、当該違法な複写が行われた記録媒体に記録されている当該記録情報が再生されることを防止して著作権法上の保護を実効有らしめることができる。
【０２９５】
請求項２４に記載の発明によれば、請求項２３に記載の発明の効果に加えて、検出された第１種類情報と検出された第２種類情報との関係が上記対応関係でないとき、当該情報再生装置内に装填されている記録媒体を当該情報再生装置外に排出するように再生コンピュータを機能させるので、より確実に上記不法な記録処理により記録された記録情報の再生を禁止することができる。
【図面の簡単な説明】
【図１】実施形態に係るＤＶＤ−Ｒの平面外観図及び記録情報の記録が完了した物理的記録フォーマットを示す図である。
【図２】実施形態に係る記録情報の物理フォーマットを示す図（Ｉ）である。
【図３】実施形態の物理フォーマットにおけるＧＯＰの構成を示す図である。
【図４】実施形態に係る記録情報の物理フォーマットを示す図（II）である。
【図５】実施形態に係る記録情報の物理フォーマットを示す図（III）である。
【図６】実施形態に係る記録情報の論理フォーマットを示す図である。
【図７】実施形態に係る情報記録再生装置の概要構成を示すブロック図である。
【図８】実施形態に係る情報記録処理を示すフローチャートである。
【図９】実施形態のローディング処理を示すフローチャートである。
【図１０】実施形態に係る情報再生処理を示すフローチャートである。
【図１１】変形形態に係るＤＶＤ−Ｒの平面外観図及び記録情報の記録が完了した物理的記録フォーマットを示す図である。
【図１２】変形形態に係る情報記録処理を示すフローチャートである。
【図１３】変形形態のローディング処理を示すフローチャートである。
【図１４】変形形態に係る情報再生処理を示すフローチャートである。
【符号の説明】
１Ｒ、１Ｒ’…ＤＶＤ−Ｒ
２…ビデオマネージャ
３、６３…ＶＴＳ
４…ＶＭＧＩ
５、７、１２、５６、７３、７８、８２、８７、１４６…他情報
６…アクセステーブル
８…識別情報
９、８８…第２種類情報
１０…ＶＯＢ
１１…コントロールデータ
２０…セル
３０…ＶＯＢユニット
４１…ナビパック
４２…ビデオデータ
４３…オーディオデータ
４４…サブピクチャデータ
５０…ＰＣＩデータ
５１…ＤＳＩデータ
５２…ＧＯＰ
５５、７５…一般情報
６０…プログラム
６１、６１Ａ、６１Ｂ…ＰＧＣ
６２…タイトル
７０、８５…ナビパック相対位置情報
７１…ＶＯＢＵ開始時刻情報
７２…ＶＯＢＵ終了時刻情報
７６…ＶＯＢ情報
７７…ＶＯＢＵサーチ情報
８０…ＶＯＢ開始時刻情報
８１…ＶＯＢ終了時刻情報
８６…ＶＯＢＵ識別番号
１１０…非記録領域
１１１…ビーム強度制御領域
１１２…管理データ領域
１１３…イニシャルゾーン
１１４…参照コードゾーン
１１５…第１バッファゾーン
１１６…コントロールデータゾーン
１１６-1、１１６-2、１１６-n…ブロック
１１７…第２バッファゾーン
１２０…ピックアップ
１２１…変調部
１２２…フォーマッタ
１２３…ビデオエンコーダ
１２４…オーディオエンコーダ
１２５…シテムコントローラ
１２６…ナビゲーション情報生成器
１２７…メモリ
１２８…復調部
１２９…ビデオデコーダ
１３０…オーディオデコーダ
１３１…サーボＩＣ
１３２…スピンドルモータ
１３３…操作部
１３４…マルチプレクサ
１３５…デマルチプレクサ
１４０…第３バッファゾーン
１４１、１４４…予備情報
１４２…ディスク製造情報
１４３…物理フォーマット情報
１４５…第１種類情報
Ｓ…情報記録再生装置
ＬＩＡ…リードインエリア
ＤＡ…データ領域
ＥＡ…終端領域
ＬＯＡ…リードアウトエリア
ＦＳ…ファイルシステム情報領域
ＣＨ…センターホール
ＰＡ…記録可能領域
ＳＴ…セクタ情報
ＩＤ…識別情報
ＩＥＤ…エラー訂正情報
ＣＰ…特性情報
ＭＤ…メイン情報
ＥＤＣ…エラー検出情報
ＡＤＰ…種別情報
Ｒ…予備情報
ＣＣＩ…著作権情報
Ｓss…スピンドル制御信号
Ｓv…ビデオ情報
Ｓcv、Ｓca、Ｓcf、Ｓsc、Ｓcdv、Ｓcda…制御信号
Ｓev…符号化ビデオ信号
Ｓa…オーディオ情報
Ｓea…符号化オーディオ信号
Ｓdu…データ情報
Ｓmx…重畳信号
Ｓnd…ナビゲーション情報信号
Ｓmt…フォーマット信号
Ｓfm…記録情報信号
Ｓfe…変調信号
Ｓsp…ピックアップサーボ信号
Ｓpp…検出信号
Ｓpd…復調信号
Ｓdmx…分離信号
Ｓnv…抽出ナビゲーション信号
Ｓdv…復号ビデオ信号
Ｓda…復号オーディオ信号
Ｓin…操作信号
【図１】
0003647786.tif 000002
【図２】
0003647786.tif 000003
【図３】
0003647786.tif 000004
【図４】
0003647786.tif 000005
【図５】
0003647786.tif 000006
【図６】
0003647786.tif 000007
【図７】
0003647786.tif 000008
【図８】
0003647786.tif 000009
【図９】
0003647786.tif 000010
【図１０】
0003647786.tif 000011
【図１１】
0003647786.tif 000012
【図１２】
0003647786.tif 000013
【図１３】
0003647786.tif 000014
【図１４】
0003647786.tif 000015